(57)【特許請求の範囲】
【請求項１】
磁気共鳴撮像装置（ＭＲＤ）のボアを開閉するように構成され、患者又は医療機器からの医療機器チュービングの接続を解除せずに、前記医療機器チュービングにより前記医療機器に接続された前記患者の前記ボアの内部への挿入および前記ボアの外部への取り出しを可能にするように構成された閉鎖アセンブリであって、
前記閉鎖アセンブリは、前記ＭＲＤの外部環境から前記ボアの内部空間へ医療機器チュービングを通すことができるように構成されるＲＦ遮蔽導管（ＲＦＳＣ）を備え、
前記閉鎖アセンブリは、周縁部を有し、前記ＲＦＳＣは、前記周縁部に固定され、
前記ＲＦＳＣの一方の端部は、前記閉鎖アセンブリの一方側で開口するカットアウト開口部を備え、
前記ＲＦＳＣの反対の端部は、前記閉鎖アセンブリの反対側で開口するカットアウト開口部を備え、
前記ＲＦＳＣは、前記ＲＦＳＣの２つの端部間に伸びる伸長開口部を有する開口フレームとして形成されることを特徴とする、閉鎖アセンブリ。
【請求項２】
前記ＲＦＳＣは、突出しないように前記閉鎖アセンブリに連結される、請求項１に記載の閉鎖アセンブリ。
【請求項３】
前記ＲＦＳＣは、長さ（ｌ）および幅（ｗ）を有し、幅方向に沿った前記ＲＦＳＣの輪郭は、湾曲Ｕ字形、多角Ｕ字形、Ｃ字形、Ｖ字形、Ｗ字形、対称形、非対称形、円筒形、多角形、湾曲形、およびそれらの任意の組み合わせから成るグループから選択される形状である、請求項１に記載の閉鎖アセンブリ。
【請求項４】
前記ＲＦＳＣの少なくとも一部が電磁導電材料を備える、請求項１に記載の閉鎖アセンブリ。
【請求項５】
前記導管は、０〜１０００ＭＨｚ、０〜５００ＭＨｚ、および０〜２００ＭＨｚから成るグループから選択される周波数の通過を減衰させるように構成される、請求項１に記載の閉鎖アセンブリ。
【請求項６】
前記導管は、導波管、ＲＦフィルタ、導波管フィルタ、減衰材料、およびそれらの任意の組み合わせから成るグループから選択される手段によって電磁干渉を減衰させるように構成される、請求項１に記載の閉鎖アセンブリ。
【請求項７】
前記ＲＦＳＣの少なくとも一部は、磁気遮蔽、ＲＦ遮蔽、物理遮蔽、およびそれらの任意の組み合わせから成るグループから選択される遮蔽を備える、請求項１に記載の閉鎖アセンブリ。
【請求項８】
前記ＲＦＳＣは、前記閉鎖アセンブリを前記ＭＲＤに連結するヒンジとして構成される、請求項１に記載の閉鎖アセンブリ。
【発明の詳細な説明】
【技術分野】
【０００１】
本発明は、一般に、磁気共鳴撮像システム（ＭＲＩ）の分野に関し、特に、動作中のＲＦ遮蔽を維持する医療機器のための通路を備える、ＭＲＩボアの開口部に蓋をするためのＭＲＩ閉鎖アセンブリにおけるＲＦ遮蔽導管、およびそれに関連する方法に関する。
【背景技術】
【０００２】
ＭＲＩ技術は、医療診断および研究のために患者を撮像する際、磁気および無線周波数を用いる。ＭＲＩの過程で生じる電磁干渉（ＥＭＩ）は、たとえば医療用電気装置、コンピュータ、データ伝送部品、他のスキャニング装置など近傍の他の装置に悪影響を及ぼす。さらに、たとえば電線、テレビおよびラジオ信号、エレベータなどの外部要因で生じるＥＭＩは、ＭＲＩの動作および結果を阻害する。
【０００３】
ＭＲＩサービスを提供する施設は、これらの干渉が外部に漏洩することを防止するとともに、ＭＲＩ処置がそれらの干渉から遮蔽されることができる、特別に設計された室を設ける。
【０００４】
この遮蔽は、磁気遮蔽およびＲＦ遮蔽を実現するための受動部品または能動部品を含んでよい。たとえば、ＲＦ遮蔽を実現するために、壁、床、および天井は、たとえば銅やアルミニウムなどの導電性金属のシートで形成され、壁との閉回路を維持するドアを含む。磁気遮蔽は、ＲＦシールドの周囲に磁気シールドを構成することによって提供され得る。受動的解決策は、一般的に金属や合金である磁気遮蔽材料の使用を伴う。これらの材料は、たとえば「ミューメタル」など非常に高い透磁率の金属から成る必要がある。第２の選択肢は、一般的に磁力計、コントローラ、増幅器、および補償コイルを含む能動磁気キャンセルシステムである。この解決策は、費用がかさむ傾向があり、調整や操作を必要とする。
【０００５】
たとえば空調、電気配線、通信装置、医療機器などといったシステムのＥＭＩ遮蔽室内への通路を設けるために、たとえば導波管減衰器およびＲＦフィルタなどの手段が用いられる。全ての通水および通気チューブは、ＥＭＩを減衰させるように構成された導管内を通り、全ての電気配線すなわち導電性配線は、ＲＦが導電性配線と結合することを回避するためにＲＦフィルタを介して接続される。これらの手段は、各チューブおよびケーブルが事前計画され、前もって構成された所定の場所に事前挿入されることを必要とする。
【０００６】
多くの患者は、ＭＲＩ中の医療サポートや監視を必要とする。これらの患者は、新生児、鎮静状態の患者、または他の医学的に不安定な患者を含む。ＭＲＩを受ける間もこれらの患者の生命維持および監視状態を保つことが非常に重要である。患者を撮像するために医療機器を取り外すのには時間がかかり、患者のストレスの原因となり、あるいは医学的問題を誘発し得る。
【０００７】
ＭＲＩスキャナは非常に強い磁石を用いるので、抑止されていない鉄含有物が引き寄せられ、それらが磁石のボア内に浮遊する。この危険な現象は、スキャナ室内の個体に重傷や致命傷をもたらす可能性がある投射すなわちミサイル効果として知られている。ステープラ針ほどの小さな物体でさえ、潜在的危険となり得る。引き寄せられた鉄含有物に起因するＭＲＩ設備での数々の深刻な事故が記録されている。医療機器を通すためにＭＲＩボアを開いた状態に保つことは、投射物が入り込む空間を残すことになり得る。
【０００８】
ＭＲＤボアの内部空間から外部環境への、またその逆方向の医療機器の通路を保護する装置に対する長年の要望がある。この装置は、物理遮蔽、ＥＭＩ遮蔽、およびＲＦ遮蔽を提供するとともに、その遮蔽を損なうことなく医療機器および生命維持装置を通すことを可能にする。
【発明の概要】
【課題を解決するための手段】
【０００９】
本発明は、（ａ）遠位端および近位端を有する長手方向主軸と、（ｂ）軸方向に伸長し、近位端に存在する開口部を終点とするオープンボアと、（ｃ）開口部に嵌合する形状の閉鎖アセンブリとを備える磁気共鳴撮像装置（ＭＲＤ）に、閉鎖アセンブリに取り付けられ、ＭＲＤの外部環境からボアの内部空間へ医療機器チュービングを通すことができる形状の開口部を有するＲＦ遮蔽導管（ＲＦＳＣ）を設けるものであり、導管は、ｌ：ｗの比が既定値ｎを上回る長さ（ｌ）および幅（ｗ）によってＲＦ遮蔽を提供することを特徴とする。
【００１０】
本発明の他の目的は、上記ＭＲＤボアの内部空間から外部環境へ医療機器チュービングを通すことができるサイズおよび形状によって適合される、上記のいずれかで定義されたようなＲＦＳＣを開示することである。
【００１１】
本発明の他の目的は、閉鎖アセンブリに突出しないように連結され、それによってＭＲＤボアと外部環境との間に間接的アクセスが提供される、上記のいずれかで定義されたようなＲＦＳＣを開示することである。
【００１２】
本発明の他の目的は、複数の形状およびサイズを有する医療機器チュービングを通すことができる形状である、上記のいずれかで定義されたようなＲＦＳＣを開示することである。
【００１３】
本発明の他の目的は、医療機器チュービングを通すための少なくとも１つの所定の置き場をさらに備える、上記のいずれかで定義されたようなＲＦＳＣを開示することである。
【００１４】
本発明の他の目的は、ＲＦＳＣの幅方向に沿った輪郭が、湾曲Ｕ字形、多角Ｕ字形、Ｃ字形、Ｖ字形、Ｗ字形、対称形、非対称形、円筒形、多角形、ストレートフェース形、湾曲形、閉じた形状、開いた形状、およびそれらの任意の組み合わせから成るグループから選択される形状である、上記のいずれかで定義したようなＲＦＳＣを開示することである。
【００１５】
本発明の他の目的は、直線形、湾曲形、多角形、対称形、非対称形、およびそれらの任意の組み合わせから成るグループから選択される形状である、長さ方向に沿ったＲＦＳＣ壁をさらに備える、上記のいずれかで定義したようなＲＦＳＣを開示することである。
【００１６】
本発明の他の目的は、ＲＦＳＣ開口部の少なくとも一部が湾曲した端縁部輪郭を備える、上記のいずれかで定義したようなＲＦＳＣを開示することである。
【００１７】
本発明の他の目的は、少なくとも一部が滑面仕上げである、上記のいずれかで定義したようなＲＦＳＣを開示することである。
【００１８】
本発明の他の目的は、ＲＦＳＣの少なくとも一部が穿孔され、また、孔は、０〜約１０００ＭＨｚ、０〜約５００ＭＨｚ、０〜約２００ＭＨｚ、およびそれらの任意の組み合わせから成るグループから選択されるＲＦを減衰させるための導波管として構成される長さおよび径を有する、上記のいずれかで定義されたようなＲＦＳＣを開示することである。
【００１９】
本発明の他の目的は、取外し可能モジュールとして構成される、上記のいずれかで定義されたようなＲＦＳＣを開示することである。
【００２０】
本発明の他の目的は、少なくとも一部が電磁導電材料を備える、上記のいずれかで定義されたようなＲＦＳＣを開示することである。
【００２１】
本発明の他の目的は、透明材料の少なくとも一部をさらに備える、上記のいずれかで定義されたようなＲＦＳＣを開示することである。
【００２２】
本開示の他の目的は、長さ方向に沿った長手方向軸壁と、長手方向軸壁に垂直な少なくとも２つの壁とを備え、壁の少なくとも一方が、定位置に固定された長手方向壁に対して可動的に連結、上記のいずれかで定義されたようなＲＦＳＣを開示することである。
【００２３】
本発明の他の目的は、ＲＦＳＣがＲＦ検出器システムをさらに備え、またＲＦ検出システムは、可聴、感知、視覚、およびそれらの任意の組み合わせから成るグループから選択されるインジケータを備える、上記のいずれかで定義されたようなＲＦＳＣを開示することである。
【００２４】
本発明の他の目的は、導管の幅と長さとの比が既定値ｎを上回る範囲で、幅、長さ、または奥行きを変えることができる少なくとも１つの伸縮壁を備える、上記のいずれかで定義されたようなＲＦＳＣを開示することである。
【００２５】
本発明の他の目的は、閉鎖アセンブリとＭＲＤとの間で周縁部の少なくとも一部の場所で閉鎖アセンブリに取り付けられる、上記のいずれかで定義されたようなＲＦＳＣを開示することである。
【００２６】
本発明の他の目的は、長さ方向に沿った開口面をさらに備え、それによって医療機器チュービングを機器端部から一切取り外さずに取り出すことができる、上記のいずれかで定義されたようなＲＦＳＣを開示することである。
【００２７】
本発明の他の目的は、０〜約１０００ＭＨｚ、０〜約５００ＭＨｚ、０〜約２００ＭＨｚ、およびそれらの任意の組み合わせから成るグループから選択される周波数の通過を減衰させるように導管が構成される、上記のいずれかで定義されたようなＲＦＳＣを開示することである。
【００２８】
本発明の他の目的は、導波管、ＲＦフィルタ、導波管フィルタ、減衰材料、およびそれらの任意の組み合わせから成るグループから選択される手段によって電磁干渉を減衰させるように導管が構成される、上記のいずれかで定義されたようなＲＦＳＣを開示することである。
【００２９】
本発明の他の目的は、ＲＦＳＣの少なくとも一部が、磁気遮蔽、ＲＦ遮蔽、物理遮蔽、およびそれらの任意の組み合わせから成るグループから選択される遮蔽を備える、上記のいずれかで定義されたようなＲＦＳＣを開示することである。
【００３０】
本発明の他の目的は、ＲＦＳＣの少なくとも一部が、閉鎖アセンブリとの導電回路を閉じる、上記のいずれかで定義されたようなＲＦＳＣを開示することである。
【００３１】
本発明の他の目的は、ＭＲＤに連結された少なくとも１つの第１の連結部材および閉鎖アセンブリに連結された少なくとも１つの第２の連結部材を有し、また少なくとも１つの第１の連結部材が少なくとも１つの第２の連結部材に可動的に連結されるヒンジをさらに備える閉鎖アセンブリにＲＦＳＣが取り付けられる、上記のいずれかで定義されたようなＲＦＳＣを開示することである。
【００３２】
本発明の他の目的は、ヒンジが緊急解除機構をさらに備え、それによって少なくとも１つのヒンジ連結された部材の取外しが可能である、上記のいずれかで定義されたようなＲＦＳＣを開示することである。
【００３３】
本発明の他の目的は、ＭＲＤに連結されたヒンジ部材が、ＭＲＤ外壁の少なくとも一部、ＭＲＤボア内の少なくとも一部、ＭＲＤ開口部周縁部の少なくとも一部、およびそれらの任意の組み合わせから成るグループから選択される場所で連結される、上記のいずれかで定義されたようなＲＦＳＣを開示することである。
【００３４】
本発明の他の目的は、ＭＲＤに連結されたヒンジ部材が、ＭＲＤ開口部に対して、上側、下側、右側、左側、床に垂直、床に非垂直、およびそれらの任意の組み合わせから成るグループから選択される場所で連結される、上記のいずれかで定義されたようなＲＦＳＣを開示することである。
【００３５】
本発明の他の目的は、ヒンジ連結部材が、直接、間接的に、およびそれらの任意の組み合わせから成るグループから選択される方法で連結される、上記のいずれかで定義されたようなＲＦＳＣを開示することである。
【００３６】
本発明の他の目的は、少なくとも１つのヒンジ連結部材が、手動、自動、自己、遠隔制御、およびそれらの任意の組み合わせから成るグループから選択される手段によって可動性を有する、上記のいずれかで定義されたようなＲＦＳＣを開示することである。
【００３７】
本発明は、（ａ）遠位端および近位端を有する長手方向主軸と、（ｂ）軸方向に伸長し、近位端に存在する開口部を終点とするオープンボアと、（ｃ）開口部に嵌合する形状の閉鎖アセンブリとを備える磁気共鳴撮像装置（ＭＲＤ）に、ＭＲＤまたはそのオープンボアに連結された少なくとも１つの第１の連結部材および閉鎖アセンブリに連結された少なくとも１つの第２の連結部材を備え、少なくとも１つの第１の連結部材が少なくとも１つの第２の連結部材に可動的に連結されるＲＦ遮蔽ヒンジ（ＲＦＳＨ）を設けるものであり、ＲＦＳＨは、ＭＲＤの外部環境からボアの内部空間へ医療機器チュービングを通すことができる形状の開口部を有する導管を備え、長さ（ｌ）および幅（ｗ）を有する導管は、１つの第１の部材の少なくとも一部、１つの第２の部材の少なくとも一部、または両方の部材の少なくとも一部に設けられ、ｌ：ｗの比が既定値ｎを上回ることによってＲＦ遮蔽がもたらされる。
【００３８】
本発明の他の目的は、ＭＲＤに連結されたＲＦＳＨ部材が、ＭＲＤ外壁の少なくとも一部、ＭＲＤボア内の少なくとも一部、ＭＲＤ開口部周縁部の少なくとも一部、およびそれらの任意の組み合わせから成るグループから選択される場所で連結される、上記のいずれかで定義されたようなＲＦＳＨを開示することである。
【００３９】
本発明の他の目的は、ヒンジ連結された第１の連結部材が、ＭＲＤ開口部に対して、左側、右側、下側、上側、およびそれらの任意の組み合わせから成るグループから選択される場所で連結される、上記のいずれかで定義されたようなＲＦＳＨを開示することである。
【００４０】
本発明の他の目的は、ヒンジ連結された第１の連結部材が、直接、間接的に、およびそれらの任意の組み合わせから成るグループから選択される方法でＭＲＤに連結される、上記のいずれかで定義されたようなＲＦＳＨを開示することである。
【００４１】
本発明の他の目的は、少なくとも１つのヒンジ連結部材が、手動、自動、自己、遠隔制御、およびそれらの任意の組み合わせから成るグループから選択される手段によって可動性を有する、上記のいずれかで定義されたようなＲＦＳＨを開示することである。
【００４２】
本発明の他の目的は、ＲＦＳＨの少なくとも一部が、反磁性材料、常磁性材料、強磁性材料、およびそれらの任意の組み合わせから成るグループから選択される材料を備える、上記のいずれかで定義されたようなＲＦＳＨを開示することである。
【００４３】
本発明の他の目的は、ＭＲＤボアの内部空間から外部環境へ医療機器チュービングを通すことができるサイズおよび形状によって適合される、上記のいずれかで定義されたようなＲＦＳＨを開示することである。
【００４４】
本発明の他の目的は、複数の形状およびサイズを有する医療機器チュービングを通すことができる形状である、上記のいずれかで定義されたようなＲＦＳＨを開示することである。
【００４５】
本発明の他の目的は、医療機器チュービングを通すための少なくとも１つの所定の置き場をさらに備える、上記のいずれかで定義されたようなＲＦＳＨを開示することである。
【００４６】
本発明の他の目的は、ＲＦＳＨ開口部の少なくとも一部が湾曲した端縁部輪郭を備える、上記のいずれかで定義されたようなＲＦＳＨを開示することである。
【００４７】
本発明の他の目的は、少なくとも一部が滑面仕上げである、上記のいずれかで定義されたようなＲＦＳＨを開示することである。
【００４８】
本発明の他の目的は、少なくとも１つのヒンジ連結された部材の取外しを可能にする緊急解除機構を備える、上記のいずれかで定義されたようなＲＦＳＨを開示することである。
【００４９】
本発明の他の目的は、ＲＦＳＨの少なくとも一部が、磁気遮蔽、ＲＦ遮蔽、物理遮蔽、およびそれらの任意の組み合わせから成るグループから選択される遮蔽を備える、上記のいずれかで定義されたようなＲＦＳＨを開示することである。
【００５０】
本発明の他の目的は、少なくとも一部が電磁導電材料を備える、上記のいずれかで定義されたようなＲＦＳＨを開示することである。
【００５１】
本発明の他の目的は、ＲＦＳＣの少なくとも一部が透明材料を備える、上記のいずれかで定義されたようなＲＦＳＨを開示することである。
【００５２】
本発明の他の目的は、導管がＲＦ検出器システムをさらに備え、またＲＦ検出システムは、可聴、感知、視覚、およびそれらの任意の組み合わせから成るグループから選択されるインジケータを備える、上記のいずれかで定義されたようなＲＦＳＨを開示することである。
【００５３】
本発明の他の目的は、導管が、０〜約１０００ＭＨｚ、０〜約５００ＭＨｚ、０〜約２００ＭＨｚ、およびそれらの任意の組み合わせから成るグループから選択される周波数の通過を減衰させるように構成される、上記のいずれかで定義されたようなＲＦＳＨを開示することである。
【００５４】
本発明の他の目的は、導管が、導波管、ＲＦフィルタ、導波管フィルタ、減衰材料、およびそれらの任意の組み合わせから成るグループから選択される手段によって電磁干渉を減衰させるように構成される、上記のいずれかで定義されたようなＲＦＳＨを開示することである。
【００５５】
本発明の他の目的は、ＲＦＳＨの少なくとも一部が閉鎖アセンブリとの電磁導電回路を閉じる、上記のいずれかで定義されたようなＲＦＳＨを開示することである。
【００５６】
本発明の他の目的は、ＭＲＤの外部環境で生じるＥＭＩからＭＲＤをＲＦ遮蔽し、かつＭＲＤで生じるＥＭＩから外部環境をＲＦ遮蔽するための方法であって、（ａ）（ｉ）遠位端および近位端を有する長手方向主軸と、（ｉｉ）軸方向に伸長し、近位端に存在する開口部を終点とするオープンボアと、（ｉｉｉ）閉鎖アセンブリに取り付けられ、ＭＲＤの外部環境からボアの内部空間へ医療機器チュービングを通すことができる形状の開口部を有する少なくとも１つの導管を備える、開口部に嵌合する形状の閉鎖アセンブリとを備えるＭＲＤを得ること、（ｂ）導管を備える閉鎖アセンブリを取り付けること、（ｃ）ＭＲＤボア内に患者を挿入すること、（ｄ）導管に医療機器チュービングを通すこと、（ｅ）ＭＲＤボアに閉鎖アセンブリで蓋をすること、および（ｆ）患者を撮像することのステップを備え、導管は、ｌ：ｗの比が既定値ｎを上回る長さ（ｌ）および幅（ｗ）によってＲＦ遮蔽を提供することを特徴とする方法を開示することである。
【００５７】
本発明の他の目的は、閉鎖アセンブリに突出しないように導管を連結するステップをさらに備え、それによってＭＲＤボアと外部環境との間に間接的アクセスが提供される、上述したような方法を開示することである。
【００５８】
本発明の他の目的は、導管に医療機器チュービングを通すための少なくとも１つの所定の置き場を連結するステップをさらに備える、上述したような方法を開示することである。
【００５９】
本発明の他の目的は、取外し可能モジュールとして構成されたＲＦＳＣを連結するステップをさらに備える、上述したような方法を開示することである。
【００６０】
本発明の他の目的は、ＲＦ検出器システムを連結するステップをさらに備え、また、可聴、感知、視覚、およびそれらの任意の組み合わせから成るグループからＲＦ検出システムインジケータを選択する、上述したような方法を開示することである。
【００６１】
本発明の他の目的は、少なくとも１つの伸縮壁を備える導管を得るステップをさらに備える、上述したような方法を開示することである。
【００６２】
本発明の他の目的は、導管の幅と長さとの比が既定値ｎを上回る範囲で、壁の幅、長さ、または奥行きを変えるステップをさらに備える、上述したような方法を開示することである。
【００６３】
本発明の他の目的は、長さ方向に沿った開口面を備えるＲＦＳＣを得るステップをさらに備える、上述したような方法を開示することである。
【００６４】
本発明の他の目的は、医療機器チュービングを機器端部から一切取り外さずに出入りさせるステップをさらに備える、上述したような方法を開示することである。
【００６５】
本発明の他の目的は、ＲＦＳＣが閉鎖アセンブリに取り付けられており、ＭＲＤに連結された少なくとも１つの第１の連結部材および閉鎖アセンブリに連結された少なくとも１つの第２の連結部材を有するヒンジをさらに備え、少なくとも１つの第１の連結部材が少なくとも１つの第２の連結部材に可動的に連結される、上述したような方法を開示することである。
【００６６】
本発明の他の目的は、少なくとも１つのヒンジ連結された部材を取り外すことによって患者を緊急離脱させるステップをさらに備える、上述したような方法を開示することである。
【００６７】
本発明の他の目的は、手動、自動、自己、遠隔制御、およびそれらの任意の組み合わせから成るグループから選択される手段によって少なくとも１つのヒンジ連結部材を動かすステップをさらに備える、上述したような方法を開示することである。
【００６８】
本発明の他の目的は、ＭＲＤに連結された少なくとも１つの第１の連結部材および閉鎖アセンブリに連結された少なくとも１つの第２の連結部材を備え、少なくとも１つの第１の連結部材が少なくとも１つの第２の連結部材に可動的に連結され、ＭＲＤの外部環境からボアの内部空間へ医療機器チュービングを通すことができる形状の開口部を有する導管を備えるＲＦ遮蔽ヒンジ（ＲＦＳＨ）を得るステップをさらに備える、上述したような方法を開示することである。
【００６９】
本発明の他の目的は、手動、自動、自己、遠隔制御、およびそれらの任意の組み合わせから成るグループから選択される手段によって少なくとも１つのヒンジ連結部材を動かすステップをさらに備える、上述したような方法を開示することである。
【００７０】
本発明の他の目的は、ＲＦＳＨに医療機器チュービングを通すための少なくとも１つの所定の置き場を連結するステップをさらに備える、上述したような方法を開示することである。
【００７１】
本発明の他の目的は、少なくとも１つのヒンジ連結された部材を取り外すことによって患者を緊急離脱させるステップをさらに備える、上述したような方法を開示することである。
【００７２】
本発明の他の目的は、ＲＦ検出器システムを連結するステップをさらに備え、また、可聴、感知、視覚、およびそれらの任意の組み合わせから成るグループからＲＦ検出システムインジケータを選択する、上述したような方法を開示することである。
【００７３】
本発明の他の目的は、ＭＲＤ閉鎖アセンブリにおけるＲＦ遮蔽導管（ＲＦＳＣ）を製造するための方法を開示することであって、方法は、（ａ）ＭＲＤボアの開口部に嵌合する形状の閉鎖アセンブリを得ること、（ｂ）ｌ：ｗの比が既定値ｎを上回るようにＲＦＳＣの長さ（ｌ）および幅（ｗ）の寸法を定めること、（ｃ）医療機器チュービングを中に通すことができるようにＲＦＳＣの寸法を定めること、（ｄ）取扱者にとってアクセスが可能であるように閉鎖アセンブリにおけるＲＦＳＣの場所を定めること、（ｅ）定められたＲＦＳＣを形成すること、および（ｆ）ＲＦＳＣを閉鎖アセンブリに連結することのステップを備え、閉鎖アセンブリは、ＭＲＤボアに面したカットアウトを有する近位端およびＭＲＤの外部環境に面したカットアウトを有する遠位端を備える長手方向軸を有する導管を備える。
【００７４】
本発明の他の目的は、ＭＲＤボアの内部空間から外部環境へ医療機器チュービングを通すことができるサイズおよび形状によってＲＦＳＣを適合させるステップをさらに備える、上述したような方法を開示することである。
【００７５】
本発明の他の目的は、閉鎖アセンブリに突出しないようにＲＦＳＣを連結するステップをさらに備え、それによってＭＲＤボアと外部環境との間に間接的アクセスを提供する、上述したような方法を開示することである。
【００７６】
本発明の他の目的は、複数の形状およびサイズを有する医療機器チュービングを通すことができるようにＲＦＳＣを形成するステップをさらに備える、上述したような方法を開示することである。
【００７７】
本発明の他の目的は、ＲＦＳＣに医療機器チュービングを通すための少なくとも１つの所定の置き場を設計するステップをさらに備える、上述したような方法を開示することである。
【００７８】
本発明の他の目的は、ＲＦＳＣの幅方向に沿った輪郭を、湾曲Ｕ字形、多角Ｕ字形、Ｃ字形、Ｖ字形、Ｗ字形、対称形、非対称形、円筒形、多角形、ストレートフェース形、湾曲形、閉じた形状、開いた形状、およびそれらの任意の組み合わせから成るグループから選択するステップをさらに備える、上述したような方法を開示することである。
【００７９】
本発明の他の目的は、ＲＦＳＣの長手方向軸に沿った壁の形状を、直線形、湾曲形、多角形、対称形、非対称形、およびそれらの任意の組み合わせから成るグループから選択するステップをさらに備える、上述したような方法を開示することである。
【００８０】
本発明の他の目的は、湾曲した端縁部輪郭を備えるＲＦＳＣ開口部の少なくとも一部を形成するステップをさらに備える、上述したような方法を開示することである。
【００８１】
本発明の他の目的は、ＲＦＳＣの少なくとも一部を滑面仕上げで形成するステップをさらに備える、上述したような方法を開示することである。
【００８２】
本発明の他の目的は、ＲＦＳＣに穿孔するステップをさらに備え、また、孔は、０〜約１０００ＭＨｚ、０〜約５００ＭＨｚ、０〜約２００ＭＨｚ、およびそれらの任意の組み合わせから成るグループから選択されるＲＦを減衰させるための導波管として構成される長さおよび径を有する、上述したような方法を開示することである。
【００８３】
本発明の他の目的は、ＲＦＳＣを取外し可能モジュールとして構成するステップをさらに備える、上述したような方法を開示することである。
【００８４】
本発明の他の目的は、電磁導電材料を備えるＲＦＳＣの少なくとも一部を形成するステップをさらに備える、上述したような方法を開示することである。
【００８５】
本発明の他の目的は、透明材料を備えるＲＦＳＣの少なくとも一部を形成するステップをさらに備える、上述したような方法を開示することである。
【００８６】
本発明の他の目的は、長手方向軸壁と、長手方向軸壁に垂直な少なくとも２つの壁とを備え、かつ壁の少なくとも一方が、定位置に固定された長手方向壁に可動的に連結されるＲＦＳＣを形成するステップをさらに備える、上述したような方法を開示することである。
【００８７】
本発明の他の目的は、ＲＦ検出器システムを連結するステップをさらに備え、また、可聴、感知、視覚、およびそれらの任意の組み合わせから成るグループからＲＦ検出システムインジケータを選択する、上述したような方法を開示することである。
【００８８】
本発明の他の目的は、導管の幅と長さとの比が既定値ｎを上回る範囲で、幅、長さ、または奥行きを変えることができる少なくとも１つの導管伸縮壁を形成するステップをさらに備える、上述したような方法を開示することである。
【００８９】
本発明の他の目的は、閉鎖アセンブリとＭＲＤとの間で周縁部の少なくとも一部の場所で閉鎖アセンブリにＲＦＳＣを取り付けるステップをさらに備える、上述したような方法を開示することである。
【００９０】
本発明の他の目的は、長さ方向に沿った開口面をさらに備えるＲＦＳＣを形成するステップをさらに備え、それによって医療機器チュービングを機器端部から一切取り外さずに取り出すことができる、上述したような方法を開示することである。
【００９１】
本発明の他の目的は、０〜約１０００ＭＨｚ、０〜約５００ＭＨｚ、０〜約２００ＭＨｚ、およびそれらの任意の組み合わせから成るグループから選択される周波数の通過を減衰させるように導管を構成するステップをさらに備える、上述したような方法を開示することである。
【００９２】
本発明の他の目的は、導波管、ＲＦフィルタ、導波管フィルタ、減衰材料、およびそれらの任意の組み合わせのグループから選択される手段によって電磁干渉を減衰させるように導管を構成するステップをさらに備える、上述したような方法を開示することである。
【００９３】
本発明の他の目的は、磁気遮蔽、ＲＦ遮蔽、物理遮蔽、およびそれらの任意の組み合わせから成るグループから選択される遮蔽を備えるＲＦＳＣの少なくとも一部を形成するステップをさらに備える、上述したような方法を開示することである。
【００９４】
本発明の他の目的は、ＲＦＳＣの少なくとも一部を、閉鎖アセンブリとの導電回路を閉じる形状に形成するステップをさらに備える、上述したような方法を開示することである。
【００９５】
本発明の他の目的は、ＭＲＤに連結された少なくとも１つの第１の連結部材および閉鎖アセンブリに連結された少なくとも１つの第２の連結部材を有するヒンジをさらに備える閉鎖アセンブリにＲＦＳＣを取り付けるステップをさらに備え、少なくとも１つの第１の連結部材が少なくとも１つの第２の連結部材に可動的に連結される、上述したような方法を開示することである。
【００９６】
本発明の他の目的は、ヒンジに緊急解除機構を組み込むステップをさらに備え、それによって少なくとも１つのヒンジ連結された部材の取外しが可能である、上述したような方法を開示することである。
【００９７】
本発明の他の目的は、ヒンジ部材とＭＲＤとを連結する場所を、ＭＲＤ外壁の少なくとも一部、ＭＲＤボア内の少なくとも一部、ＭＲＤ開口部周縁部の少なくとも一部、およびそれらの任意の組み合わせから成るグループから選択するステップをさらに備える、上述したような方法を開示することである。
【００９８】
本発明の他の目的は、ヒンジ部材とＭＲＤとを連結する場所を、ＭＲＤ開口部に対して、上側、下側、右側、左側、床に垂直、床に非垂直、およびそれらの任意の組み合わせから成るグループから選択するステップをさらに備える、上述したような方法を開示することである。
【００９９】
本発明の他の目的は、直接、間接的に、およびそれらの任意の組み合わせから成るグループから選択される方法でヒンジ連結部材を連結するステップをさらに備える、上述したような方法を開示することである。
【０１００】
本発明の他の目的は、手動、自動、自己、遠隔制御、およびそれらの任意の組み合わせから成るグループから、少なくとも１つのヒンジ連結部材を動かす手段を選択するステップをさらに備える、上述したような方法を開示することである。
【０１０１】
本発明の他の目的は、ＭＲＤに連結された少なくとも１つの第１の連結部材および閉鎖アセンブリに連結された少なくとも１つの第２の連結部材を有し、少なくとも１つの第１の連結部材が少なくとも１つの第２の連結部材に可動的に連結されるＲＦ遮蔽ヒンジ（ＲＦＳＨ）の少なくとも一部に導管を形成するステップをさらに備える、上述したような方法を開示することである。
【０１０２】
本発明の他の目的は、ＭＲＤ外壁の少なくとも一部、ＭＲＤボア内の少なくとも一部、ＭＲＤ開口部周縁部の少なくとも一部、およびそれらの任意の組み合わせから成るグループから選択される場所でＲＦＳＨ部材をＭＲＤに連結するステップをさらに備える、上述したような方法を開示することである。
【０１０３】
本発明の他の目的は、ＭＲＤ開口部に対して、左側、右側、下側、上側、およびそれらの任意の組み合わせから成るグループから選択される場所で、ヒンジ連結された第１の連結部材をＭＲＤに連結するステップをさらに備える、上述したような方法を開示することである。
【０１０４】
本発明の他の目的は、直接、間接的に、およびそれらの任意の組み合わせから成るグループから選択される方法で、ヒンジ連結された第１の連結部材をＭＲＤに連結するステップをさらに備える、上述したような方法を開示することである。
【０１０５】
本発明の他の目的は、手動、自動、自己、遠隔制御、およびそれらの任意の組み合わせから成るグループから、少なくとも１つのヒンジ連結部材を動かす手段を選択するステップをさらに備える、上述したような方法を開示することである。
【０１０６】
本発明の他の目的は、反磁性材料、常磁性材料、強磁性材料、およびそれらの組み合わせから成るグループから選択される材料を備えるＲＦＳＨの少なくとも一部を形成するステップをさらに備える、上述したような方法を開示することである。
【０１０７】
本発明の他の目的は、ＭＲＤボアの内部空間から外部環境へ医療機器チュービングを通すことができるサイズおよび形状によってＲＦＳＨを適合させるステップをさらに備える、上述したような方法を開示することである。
【０１０８】
本発明の他の目的は、複数の形状およびサイズを有する医療機器チュービングを通すことができるようにＲＦＳＨを形成するステップをさらに備える、上述したような方法を開示することである。
【０１０９】
本発明の他の目的は、導管に医療機器チュービングを通すための少なくとも１つの所定の置き場を設計するステップをさらに備える、上述したような方法を開示することである。
【０１１０】
本発明の他の目的は、湾曲した端縁部輪郭を備えるＲＦＳＨ開口部の少なくとも一部を形成するステップをさらに備える、上述したような方法を開示することである。
【０１１１】
本発明の他の目的は、ＲＦＳＨの少なくとも一部を滑面仕上げで形成するステップをさらに備える、上述したような方法を開示することである。
【０１１２】
本発明の他の目的は、少なくとも１つのヒンジ連結された部材の取外しを可能にする緊急解除機構を組み込むステップをさらに備える、上述したような方法を開示することである。
【０１１３】
本発明の他の目的は、磁気遮蔽、ＲＦ遮蔽、物理遮蔽、およびそれらの任意の組み合わせから成るグループから、ＲＦＳＨの少なくとも一部の遮蔽を選択するステップをさらに備える、上述したような方法を開示することである。
【０１１４】
本発明の他の目的は、電磁導電材料を備えるＲＦＳＨの少なくとも一部を形成するステップをさらに備える、上述したような方法を開示することである。
【０１１５】
本発明の他の目的は、透明材料を備えるＲＦＳＨの少なくとも一部を形成するステップをさらに備える、上述したような方法を開示することである。
【０１１６】
本発明の他の目的は、ＲＦ検出器システムを連結するステップをさらに備え、また、可聴、感知、視覚、およびそれらの任意の組み合わせから成るグループから選択されるＲＦ検出システムインジケータを選択する、上述したような方法を開示することである。
【０１１７】
本発明の他の目的は、０〜約１０００ＭＨｚ、０〜約５００ＭＨｚ、０〜約２００ＭＨｚ、およびそれらの任意の組み合わせから成るグループから選択される周波数の通過を減衰させるようにＲＦＳＨを構成するステップをさらに備える、上述したような方法を開示することである。
【０１１８】
本発明の他の目的は、導波管、ＲＦフィルタ、導波管フィルタ、減衰材料、およびそれらの任意の組み合わせのグループから選択される手段によって電磁干渉を減衰させるように構成するステップをさらに備える、上述したような方法を開示することである。
【０１１９】
本発明の他の目的は、ＲＦＳＣの少なくとも一部を、閉鎖アセンブリとの電磁導電回路を閉じる形状に形成するステップをさらに備える、上述したような方法を開示することである。
【０１２０】
本発明の他の目的は、医療機器に繋がれＭＲＤボア内に載置される患者を、ＭＲＤ内にＲＦを漏洩させずに磁気共鳴撮像するためのケアプロトコルの規格を開示することであって、これは、（ａ）遠位端および近位端を有する長手方向主軸と、（ｂ）軸方向に伸長し、近位端に存在する開口部を終点とするオープンボアと、（ｃ）開口部に嵌合する形状の閉鎖アセンブリとを備える磁気共鳴撮像装置（ＭＲＤ）に、閉鎖アセンブリに取り付けられ、ＭＲＤの外部環境からボアの内部空間へ医療機器チュービングを通すことができる形状の開口部を有するＲＦ遮蔽導管（ＲＦＳＣ）を設けるものであり、導管は、ｌ：ｗの比が既定値ｎを上回る長さ（ｌ）および幅（ｗ）によってＲＦ遮蔽を提供することを特徴とし、ここにおいて、（ａ）ＲＦＳＣを用いる場合、ＭＲＤ関連の患者の健康問題の平均数は、患者のＭＲＩ関連の健康問題の平均数と比べてｎ分の１であり、ｎは１．０５以上であること、（ｂ）ＲＦＳＣを用いる場合、製造者、取扱者、使用者、操作者、医療関係者、医療施設、医療施設管理、またはそれらの任意の組み合わせから成るグループから選択されるものの保険請求の平均数は、患者のＭＲＩ関連保険請求と比べてｍ分の１であり、ｍは１．０５以上であること、（ｃ）ＲＦＳＣを用いる場合、ＥＭＩに起因するＭＲＩの反復の平均回数は、ＭＲＩの反復の平均回数と比べてｐ分の１であり、ｐは１．０５以上であること、（ｄ）ＲＦＳＣを用いる場合、ＥＭＩがもたらすアーティファクトに起因するＭＲＩの誤解釈の平均回数は、ＭＲＩの反復の平均回数と比べてｏ分の１であり、ｏは１．０５以上であること、（ｅ）ＲＦＳＣを用いる場合、ＭＲＩ中に医療機器を取り外される患者の平均数は、ＭＲＩ中に医療機器を取り外される患者の平均数と比べてｚ分の１であり、ｚは１．０５以上であること、および（ｆ）医療機器に干渉するＥＭＩに起因する患者の健康問題の平均数は、ＲＦＳＣアセンブリを用いる場合と比べてｕ倍であり、ｕは１．０５以上であることの少なくとも１つが真である。
【０１２１】
以下に示す好適な実施形態の詳細な説明において、本明細書の一部を成す添付図面が参照され、図面には、本発明が実施され得る特定の実施形態が例示的に示される。本発明の範囲から逸脱することなく、他の実施形態が用いられ、構造の変化があってよいことが理解される。本発明は、これらの特定の詳細の一部または全部がなくとも特許請求の範囲に従って実施され得る。明確化する目的のために、本発明に関する技術分野において既知である技術事項は、本発明が不必要に不明瞭化されないように詳しく説明されない。
【図面の簡単な説明】
【０１２２】
【図１Ａ】オープン構成で提示されるＭＲＤボアの入口を閉鎖するための長方形実施形態における閉鎖アセンブリに連結されたＭＲＤの略図である。
【図１Ｂ】多面形状の導管に挿入された長方形実施形態における閉鎖アセンブリの外観を示す略図である。
【図１Ｃ】閉鎖アセンブリの左側に設置された多面形状の導管に挿入された長方形実施形態における閉鎖アセンブリを内側から示す略図である。
【図１Ｄ】円筒形の導管を備える円形実施形態における閉鎖アセンブリの外観を示す略図である。
【図１Ｅ】円筒形の導管を備える長方形実施形態における閉鎖アセンブリの外観を示す略図である。
【図１Ｆ】上部に設置された導管を備える長方形実施形態における閉鎖アセンブリの外観を示す略図である。
【図１Ｇ】複数の円筒形導管を備える長方形実施形態における閉鎖アセンブリの外観を示す略図である。
【図２Ａ】導管（１００）の実施形態の略図である。
【図２Ｂ】長方形実施形態の閉鎖アセンブリの側面輪郭に沿って導管が連結され、ＭＲＤに取り付けられた第２の部品に連結された反対側の側面にヒンジ式構造が存在する構成を示す、閉鎖アセンブリの外観を示す略図である。
【図２Ｃ】導管（１００）の湾曲実施形態の略図である。
【図２Ｄ】導管（１００）の実施形態の側面を示す略図である。
【図３Ａ】導管（１０７）を有するＲＦ遮蔽ヒンジの実施形態の側面を示す略図である。
【図３Ｂ】ヒンジの一部に沿って導管（１０８）を有するＲＦ遮蔽ヒンジの実施形態の側面を示す略図である。
【図３Ｃ】チュービングが中に通されるＲＦ遮蔽ヒンジを包含する閉鎖アセンブリを有するＭＲＤの実施形態を示す略図である。
【図４Ａ】チュービングが中に通されるＲＦ遮蔽ヒンジ（１００）の実施形態を示す略図である。
【図４Ｂ】ＲＦ遮蔽ヒンジの一部にチュービングが通される、閉鎖アセンブリにおけるＲＦ遮蔽ヒンジ（１００）の実施形態を示す略図である。
【図５】ＭＲＤの外部環境で生じるＥＭＩからＭＲＤをＲＦ遮蔽し、かつＭＲＤで生じるＥＭＩから外部環境をＲＦ遮蔽する方法を示すフローチャート図である。
【図６】ＲＦ遮蔽ヒンジを用いて、ＭＲＤの外部環境で生じるＥＭＩからＭＲＤをＲＦ遮蔽し、かつＭＲＤで生じるＥＭＩから外部環境をＲＦ遮蔽する方法を示すフローチャート図である。
【発明を実施するための形態】
【０１２３】
以下に示す好適な実施形態の詳細な説明において、本明細書の一部を成す添付図面が参照され、図面には、本発明が実施され得る特定の実施形態が例として示される。本発明の範囲から逸脱することなく他の実施形態が用いられ、また構造的変化があってよいことが理解される。本発明は、これらの特定の詳細の一部または全部を伴わずとも特許請求の範囲に従って実施され得る。明確化のために、本発明に関連する技術分野において知られている技術事項は、本発明が不必要に不明瞭化されないように詳しくは説明されていない。本発明は、医療機器の通過を容易にするための手段を伴うＭＲＩボアのための閉鎖アセンブリを提供する。
【０１２４】
本発明の本質は、ＭＲＤボア開口部に蓋をすることができるＭＲＤ閉鎖アセンブリに取り付けられたＲＦ遮蔽導管を設けることによって、外部環境からＭＲＤボア内への、またその逆方向の医療機器のためのＲＦ遮蔽通路を提供することである。さらに、本発明は、導管を備えるＲＦ遮蔽ヒンジを閉鎖アセンブリ内に設け、外部環境からＭＲＤボア内への、またその逆方向の医療機器のためのＲＦ遮蔽通路をさらに提供する。
【０１２５】
本発明のＲＦ遮蔽導管は、ＭＲＤの内外へＥＭＩを漏洩させずに患者が医療機器に繋がれることによりＭＲＩの安全性を高める。さらに、患者が強磁性被牽引物体から保護されるとともに、医療機器のためのＭＲＤボアの内部空間への通路を確保する。
【０１２６】
「磁気共鳴撮像装置」（ＭＲＤ）という用語は、具体的には以下で、任意の磁気共鳴撮像（ＭＲＩ）装置、任意の核磁気共鳴（ＮＭＲ）分光器、任意の電子スピン共鳴（ＥＳＲ）分光器、任意の核四重極共鳴（ＮＱＲ）、またはそれらの任意の組み合わせに適用される。また本発明においてこの用語は、たとえばコンピュータ断層撮影（ＣＴ）、超音波検査（ＵＳ）など、対象ボリュームを備える他の任意の分析および撮像装置にも適用される。本明細書に開示されるＭＲＤは、任意選択的に、たとえばＡＳＰＥＣＴ−ＭＲ社製の市販の装置などのポータブル式ＭＲＩ装置、または市販の非ポータブル式装置である。
【０１２７】
「閉鎖ボアＭＲＩ」という用語は以下で、ＭＲＩマグネットの内側に大きな円筒形チューブを有するＭＲＩスキャナを指す。
【０１２８】
「ＭＲＤボア」という用語は以下で、患者を収容するように設計されたＭＲＩスキャナの大きな円筒形チューブと同義を指す。
【０１２９】
「ＭＲＤボアの内部空間」という用語は以下で、ＭＲＩボアの内部容積を指す。
【０１３０】
「外部環境」という用語は以下で、ＭＲＩスキャナの外側にある外部空間を指す。
【０１３１】
「約」という用語は以下で、定められた値から２０％の増減を指す。
【０１３２】
「患者」という用語は以下で、新生児、乳幼児（ｂａｂｙ、ｉｎｆａｎｔ、ｔｏｄｄｌｅｒ）、小児、青年、成人、高齢者などのグループから選択される用語と同義で用いられ、またこの用語は、人間または動物を指す。
【０１３３】
「医療機器」という用語は以下で、患者に関係する医療従事者によって用いられる全ての装置、チューブ、コネクタ、ワイヤ、液体搬送器、注射器、センサなどと同義を指す。この医療機器は、たとえば生命維持、換気、温度調節、ＭＲＩへの溶液注入、心拍数および呼吸速度の監視、患者の観察、流体輸送、外科手術の実施、患者の身体の少なくとも一部を動かすことなどの様々な目的のために用いられる。
【０１３４】
「医療機器チュービング」という用語は以下で、医療機器や物理的環境の維持または監視に関連して用いられる全てのチューブ、ケーブル、コネクタ、ワイヤ、液体搬送器、気体搬送器、電線、監視ケーブル、観察ケーブル、データケーブルなどと同義を指す。
【０１３５】
「透明材料」という用語は以下で、たとえばポリメチルメタクリレート、熱可塑性ポリウレタン、ポリエチレン、ポリエチレンテレフタレート、イソフタル酸変性ポリエチレンテレフタレート、グリコール修飾ポリエチレンテレフタレート、ポリプロピレン、ポリスチレン、アクリル、ポリアセテート、セルロースアセテート、ポリカーボネート、ナイロン、ガラス、ポリ塩化ビニルなどの材料と同義を指す。また、いくつかの実施形態において、この材料の少なくとも一部には、強度および／または導電性をもたらす手段としてたとえば金属ワイヤなど非透明材料が埋め込まれる。
【０１３６】
「機器端部」という用語は以下で、遠位端および近位端がある長手方向軸を有する任意の機器を指す。これは、遠位端が患者に繋がれ近位端が装置筐体に連結されたチューブを備える医療用生命維持または監視機器であってよい。
【０１３７】
「電磁干渉」という用語は以下で、たとえばＭＲＤ、ＮＭＲ、ＥＳＲ、ＮＱＲ、ＣＴ、ＵＳなどの撮像装置や任意の電気回路に影響を及ぼす、電磁放射、電磁誘導、磁気、静電場などによって生じる電磁干渉（ＥＭＩ）および無線周波数干渉（ＲＦＩ）と同義を指す。この干渉は、たとえば地磁界、大気雑音、金属の移動質量、電線、地下鉄、セルラ通信機器、電気装置、テレビ局およびラジオ局、エレベータなどあらゆる自然要因または人工要因によって生じる。この干渉は、回路または装置の実効性能を阻害し、妨害し、低下させ、制限し、誤りデータを生じさせ得る。
【０１３８】
「電磁遮蔽」という用語は以下で、導電材料または磁気材料で形成されるバリアで電磁場を遮断することによって空間内の電磁場を縮小することを目的とした装置または行為を指す。遮蔽は、電波、電磁場、および静電場の影響を低減することができる。遮蔽は通常、外部環境から装置を隔絶するために適用され、またケーブルが通る環境からワイヤを隔絶するためにケーブルに適用される。
【０１３９】
「磁気遮蔽」という用語は以下で、空間内の磁場を縮小することを目的とした装置または行為を指す。これは通常、たとえばニッケル含有合金など、磁気シールドを引き寄せ包含する高透磁率かつ低保磁性の合金を使用することによって実現される。
【０１４０】
「ＲＦ遮蔽」という用語は以下で、無線周波数電磁放射を遮断する電磁遮蔽を指す。
【０１４１】
「ＲＦ減衰特性」という用語は以下で、定められたＲＦ波を通過させない特性と同義を指す。これは、たとえばＲＦを減衰させるように設計された導波管、ＲＦフィルタ、導波管フィルタなどの手段によって実現され得る。
【０１４２】
「ｎの値」という用語は以下で、導管の長さ（ｌ）と幅（ｗ）との比に関する数値と同義で用いられ、ｌ：ｗの比は既定値ｎよりも大きく、またｎの数値は、２．５＜ｎ＜６、４＜ｎ＜６、４＜ｎ＜９、およびそれらの任意の組み合わせから成るグループから選択される。
【０１４３】
「導波管」という用語は以下で、たとえば電磁波または音波などの波を誘導する構造と同義を指す。導波管の幾何学的形状がその機能を示す。導波管は、たとえば中空、中実竿杆、ワイヤなど様々な形状で構成される。それらは通常、導電材料または誘電材料のいずれかで構成される。また伝送波の周波数も導波管の形状に影響する。ウィキペディアに示されるように、導波管の軸方向の電磁波の伝搬は、Ｍａｘｗｅｌｌ方程式によって導かれる波動方程式によって記述され、波長は、導波管の構造、導波管内の物質（空気、プラスチック、真空など）、および波の周波数に依存する。
【０１４４】
「導波管カットオフ」という用語は以下で、システム内を流れるエネルギが通過するのではなく低減、減衰、または反射され始める、システムの周波数応答における境界と同義を指す。この特性は、導波管のサイズおよび形状から得られる。したがって導波管は、特定の幾何学的形状において物理的に伝搬することができない波長、および定められた振幅を有する特定の範囲の周波数を減衰させるように設計される。
【０１４５】
「カットオフ周波数」（ｆｃ）という用語は以下で、それを超えると導波管が効率的にＥＭＩを阻止しなくなる周波数と同義を指す。したがって、カットオフ周波数を下回る任意の励振周波数は、導波管に伝搬するのではなく減衰される。
【０１４６】
「ＲＦフィルタ」という用語は以下で、ＭＨｚ〜ＧＨｚの周波数範囲における信号をフィルタするように設計された部品と同義を指す。この周波数範囲は、ほとんどのラジオ放送、テレビ、無線通信によって用いられる範囲である。これらの部品は、送受信される信号に何らかの種類のフィルタリングをかける。フィルタは、たとえばワッフルアイアン型フィルタ、メカニカルＲＦフィルタなど能動型または受動型であってよい。ＲＦフィルタは通常、ＭＲＤ筐体の内外に電線を通す必要がある場合に、ＥＭＩが導電性配線と結合しないことを確実にするために設置される。これらのフィルタは、たとえば誘導子とコンデンサとの組み合わせなど受動部品であってよい。
【０１４７】
「ＲＦ検出システム」という用語は以下で、既定のＲＦ波の存在を検出し警告するように設計されたシステムと同義を指す。このシステムは通常、たとえばアンテナなどのセンサおよびインジケータを含む。
【０１４８】
「視覚インジケータ」という用語は以下で、約３８０ナノメートル〜約７４０ｎｍの可視光領域内の光の表示と同義を指す。より広範には、この用語は、本発明のユーザが認識できる可視域内の任意の光（光、閃光、明滅光、点滅光、光の色のスペクトルの変化など）を指す。
【０１４９】
「可聴インジケータ」という用語は以下で、通常は電圧としての音の表示と同義を指す。可聴インジケータは、約２０〜２０，０００Ｈｚの可聴周波数範囲（人間の聴覚の範囲）内の周波数を有する。可聴インジケータは直接合成されるか、またはたとえばマイクロフォン、楽器のピックアップ、蓄音器のピックアップ、またはテープヘッドなどの変換器から発する。
【０１５０】
「感知インジケータ」という用語は以下で、ユーザが認識できる、ユーザインタフェースの少なくとも一部の物理的な動き（横揺れ、振動、震動など）と同義を指す。
【０１５１】
「置き場」という用語は以下で、１または複数の医療機器チュービングを設置するための場所と同義を指す。これは、たとえばクリップ、アンカ、キャッチ、クラスプ、ストリップ、ネスト、ソケット、歯、ダクト、チャネル、ブリッジ、クランプ、ハーネス、凹形状、クレータ、間隙、ポケット、空洞、グリップ、ベルト、キャッチ、スナップ、ファスナ、フック、把持、支持、バックル、ラッチ、錠、掛け金、アフィクサ、バインダ、ジョイナ、バンド、リング、ストリング、タイ、リンク、チェーン、ファスナ、引込みラッチ、錠、ボルト、グリップ、バー、ボンド、クラスプ、連結、取付け具、バックル、ピン、釘、グラプネル、バンド、ピン、挿入などの手段によって実現される。
【０１５２】
ＭＲＤ、閉鎖アセンブリ、および導管部品やモジュールに関連する「連結される」という用語は以下で、閉鎖アセンブリ部品同士の、またそれらと第三者との任意の接触、関連、結合、統合、相互連結、接合、挿入、縫合、溶接、織込み、載置、入れ子化、層化などと同義を指す。
【０１５３】
「複数」という用語は以下で、α＞１である整数αと同義を指す。
【０１５４】
「ヒンジ」という用語は以下で、１つの部品が他の部品に対して可動式である任意の連結と同義を指す。部品は、可撓性機構または材料、ジョイント、フック、糸、軸、接続部、変向点、折畳み、屈曲、エルボー、ニー、角、フォーク、軸、柱、ピボット、ボールとソケット、顆状ジョイント、機械装置、ヒンジ、バレルヒンジ、ピボットヒンジ、複動フロアヒンジ、背出／彫込ヒンジ、ケースヒンジ、連続ヒンジ、ピアノヒンジ、隠しヒンジ、カップヒンジ、カップヒンジ、ユーロヒンジ、蝶形ヒンジ、Ｈ形持出ヒンジ、旗ヒンジ、ストラップヒンジ、Ｈヒンジ、ＨＬヒンジ、カウンタフラップヒンジ、フラッシュヒンジ、コーチヒンジ、ライジングヒンジ、複動ばね付きヒンジ、Ｔ形ヒンジ、摩擦ヒンジ、セキュリティヒンジ、クランク式ヒンジ、ストームプルーフヒンジ、リフトオフヒンジ、自閉式ヒンジ、背出ヒンジなどによって連結され得る。
【０１５５】
閉鎖アセンブリの一部の動きに関する「自動」という用語は以下で、開始位置および終了位置を有する既定の動きと同義を指す。またこの動きは、エンジン、ラッチ機構が解除された時の自動スライド動作、（下向きの自動スライド動作によって圧縮される）空圧機構、液圧シリンダ、ギアシフトシステムの使用などによって得られ得る。
【０１５６】
閉鎖アセンブリの一部の動きに関する「手動」という用語は以下で、可動部の少なくとも一部を動かすことを目的として取扱者が任意の力を加えることと同義を指す。この力は、たとえば押す、引く、持ち上げる、梃子で動かす、回転する、捻じ曲げる、打つ、下ろすなどの動作によって生じる。
【０１５７】
「緊急解除機構」という用語は以下で、閉鎖アセンブリの少なくとも一部をワンステップで取り外し患者へのアクセスを提供することができる、ＭＲＤボアから患者を取り出すことが早急に必要な場合に用いられる機構と同義を指す。
【０１５８】
「遠隔制御機構」という用語は以下で、短い見通し距離から無線で装置を操作するために用いられる部品と同義を指す。これは、たとえばブルートゥース（登録商標）接続、動きセンサ制御、音声制御、ＲＦ、赤外線、超音波などの手段によって操作可能である。
【０１５９】
本発明の一実施形態によると、（ａ）遠位端および近位端を有する長手方向主軸と、（ｂ）軸方向に伸長し、近位端に存在する開口部を終点とするオープンボアと、（ｃ）開口部に嵌合する形状の閉鎖アセンブリとを備える磁気共鳴撮像装置（ＭＲＤ）において、閉鎖アセンブリに取り付けられたＲＦ遮蔽導管（ＲＦＳＣ）は、ＭＲＤの外部環境からボアの内部空間へ医療機器チュービングを通すことができる形状の開口部を有し、導管は、ｌ：ｗの比が既定値ｎを上回る長さ（ｌ）および幅（ｗ）によってＲＦ遮蔽を提供することを特徴とする。
【０１６０】
本発明の他の実施形態によると、閉鎖アセンブリは、参照としてその全体が組み込まれる、２０１２年１０月３１日付の“ａ  ｐｒｏｔｅｃｔｉｖｅ  ｃｏｖｅｒ  ｆｏｒ  ＭＲＩ”と題された実用新案第ＤＥ２０２０１２１０４１８３  Ｕ１号に示されるようなものである。
【０１６１】
本発明の他の実施形態によると、上述したようなＲＦＳＣが開示され、ＲＦＳＣは、上記ＭＲＤボアの内部空間から外部環境へ医療機器チュービングを通すことができるようなサイズおよび形状によって適合される。
【０１６２】
本発明の他の実施形態によると、上述したようなＲＦＳＣが開示され、ＲＦＳＣは、閉鎖アセンブリに突出しないように連結され、それによってＭＲＤボアと外部環境との間に間接的アクセスが提供される。
【０１６３】
本発明の他の実施形態によると、上述したようなＲＦＳＣが開示され、ＲＦＳＣは、複数の形状およびサイズを有する医療機器チュービングを通すことができる形状である。
【０１６４】
本発明の他の実施形態によると、上述したようなＲＦＳＣが開示され、ＲＦＳＣは、医療機器チュービングを通すための少なくとも１つの所定の置き場をさらに備える。
【０１６５】
本発明の他の実施形態によると、上述したようなＲＦＳＣが開示され、ＲＦＳＣの幅方向に沿った輪郭は、湾曲Ｕ字形、多角Ｕ字形、Ｃ字形、Ｖ字形、Ｗ字形、対称形、非対称形、円筒形、多角形、ストレートフェース形、湾曲形、閉じた形状、開いた形状、およびそれらの任意の組み合わせから成るグループから選択される形状である。
【０１６６】
本発明の他の実施形態によると、長さ方向に沿ったＲＦＳＣ壁を備える上述したようなＲＦＳＣが開示され、壁は、直線形、湾曲形、多角形、対称形、非対称形、およびそれらの任意の組み合わせから成るグループから選択される形状である。
【０１６７】
本発明の他の実施形態によると、上述したようなＲＦＳＣが開示され、カットアウトは、開いた形状、閉じた形状、多角形、円形、対称形、非対称形、およびそれらの任意の組み合わせから成るグループから選択される形状である。
【０１６８】
本発明の他の実施形態によると、上述したようなＲＦＳＣが開示され、ＲＦＳＣ開口部の少なくとも一部は湾曲した端縁部輪郭を備え、またＲＦＳＣの少なくとも一部は滑面仕上げである。滑面仕上げなどを有することで、チュービングが導管に対して動く際の摩擦が軽減される。それによってチュービングの破壊が軽減され、導管内でのチューブの位置付けおよび他の操作が容易になる。
【０１６９】
本発明の他の実施形態によると、上述したようなＲＦＳＣが開示され、ＲＦＳＣの少なくとも一部が穿孔され、また、孔は、特定のＭＲＤの周波数および外部で生じるＥＭＩの周波数に対処する必要に応じて０〜約１０００ＭＨｚ、０〜約５００ＭＨｚ、０〜約２００ＭＨｚなどから成るグループから選択されるカットオフ周波数を有する導波管として構成される長さおよび径を有する。閉鎖アセンブリにおけるこれらの孔は、孔がなければ閉鎖される空間への通気および光透過を可能にするために設けられる。
【０１７０】
本発明の他の実施形態によると、上述したようなＲＦＳＣが開示され、ＲＦＳＣは、ＲＦ減衰特性を有する。これらの減衰特性は導管を導波管として構成することによって実現されるが、ＲＦは導波管カットオフに満たない。また、定められた範囲のＲＦを遮断するように形成されたＲＦフィルタが取り付けられ得る。ＲＦフィルタは、電力、データケーブルなどへの保護を提供する。これらのＲＦフィルタは、電気配線を通すことによってＲＦ遮蔽を維持する。
【０１７１】
本発明の他の実施形態によると、上述したようなＲＦＳＣが開示され、ＲＦＳＣは、取外し可能モジュールとして構成される。このモジュールはその後、たとえば患者のベッド、手術台、車台、車椅子などにおける特別に設計されたポートなど他の所定の場所に取り付けることができる。このようにすると、患者を別の場所に移す際に医療機器チュービングの取外しおよび取付けが不要である。
【０１７２】
本発明の他の実施形態によると、上述したようなＲＦＳＣが開示され、ＲＦＳＣの少なくとも一部は、電磁導電材料を備える。
【０１７３】
本発明の他の実施形態によると、上述したようなＲＦＳＣが開示され、ＲＦＳＣは、少なくとも一部の透明材料をさらに備える。また、透明材料は、患者の身体の少なくとも一部を可視にする。他の実施形態において、透明部分は、閉鎖アセンブリによって蓋をされたＭＲＤボアに光が入ることを可能にする。
【０１７４】
本発明の他の実施形態によると、上述したようなＲＦＳＣが開示され、閉鎖アセンブリの少なくとも一部は、耐衝撃性に優れた材料で作られる。そのような材料は、たとえば金属、合金、複合材料、およびそれらの組み合わせなどの材料から成る。これらの複合物は、たとえばＧＦＲＰ（ガラス繊維強化プラスチック）やＣＦＲＰ（炭素繊維強化プラスチック）などである。
【０１７５】
本発明の他の実施形態によると、長さ方向に沿った長手方向軸壁と、長手方向軸壁に対して垂直な少なくとも２つの壁とを備える上述したようなＲＦＳＣが開示され、壁の少なくとも一方は、定位置に固定された長手方向壁部に可動的に連結される。この実施形態は、導管が、既定値ｎを上回るｌ：ｗの比を有する長さ（ｌ）および幅（ｗ）によってＲＦ遮蔽を提供することを特徴とする範囲で、一方の壁を他方に対して動かして導管の空間を狭めることによって、導管内の医療機器チュービングの位置を固定することができる。
【０１７６】
本発明の他の実施形態によると、少なくとも１つの伸縮壁を備える上述したようなＲＦＳＣが開示され、この壁は、導管の幅と長さとの比が既定値ｎを上回る範囲で、幅、長さ、または奥行きを変えることができる。この実施形態は、医療機器チュービングのためのより広い空間をさらに提供する。また、この機構は、導管内のチュービングの位置を固定する働きをする。
【０１７７】
本発明の他の実施形態によると、上述したようなＲＦＳＣが開示され、ＲＦＳＣはＲＦ検出器システムをさらに備え、またＲＦ検出システムは、可聴、感知、視覚、およびそれらの任意の組み合わせから成るグループから選択されるインジケータを備える。
【０１７８】
本発明の他の実施形態によると、上述したようなＲＦＳＣが開示され、ＲＦＳＣは、閉鎖アセンブリとＭＲＤとの間で周縁部の少なくとも一部の場所で閉鎖アセンブリに取り付けられる。
【０１７９】
本発明の他の実施形態によると、上述したようなＲＦＳＣが開示され、ＲＦＳＣは、長さ方向に沿った開口面をさらに備え、それによって、医療機器チュービングを機器端部から一切取り外さずに取り出すことができる。
【０１８０】
本発明の他の実施形態によると、上述したようなＲＦＳＣが開示され、導管は、０〜約１０００ＭＨｚ、０〜約５００ＭＨｚ、０〜約２００ＭＨｚ、およびそれらの任意の組み合わせから成るグループから選択される周波数の通過を減衰させるように構成される。
【０１８１】
本発明の他の実施形態によると、上述したようなＲＦＳＣが開示され、導管は、導波管、ＲＦフィルタ、導波管フィルタ、減衰材料、およびそれらの任意の組み合わせから成るグループから選択される手段によって電磁干渉を減衰させるように構成される。
【０１８２】
本発明の他の実施形態によると、上述したようなＲＦＳＣが開示され、ＲＦＳＣの少なくとも一部は、磁気遮蔽、ＲＦ遮蔽、物理遮蔽、およびそれらの任意の組み合わせから成るグループから選択される遮蔽を備える。
【０１８３】
本発明の他の実施形態によると、上述したようなＲＦＳＣが開示され、ＲＦＳＣは、閉鎖アセンブリとともに受動的電磁シールドとして機能する。効果的な非能動的磁気遮蔽をもたらすために、閉鎖アセンブリの少なくとも一部は、たとえばパーマロイなど高透磁率かつ低保磁性の磁気合金、および様々な種類のミューメタルから成る。これらは、たとえば金属シート、金属鋳造、金属スクリーン、金属含有発泡体、金属インキ、およびそれらの任意の組み合わせなどの成分から成る。
【０１８４】
本発明の他の実施形態によると、上述したようなＲＦＳＣが開示され、ＲＦＳＣの少なくとも一部、ＭＲＤの外側構造、閉鎖アセンブリ、またはそれらの任意の組み合わせが導電回路を形成する。これは、既存のＭＲＤによって、またはＭＲＤの周囲の他の要素によって形成され得る。この構成は、電磁シールドとして機能する。また、閉鎖アセンブリの少なくとも一部および周囲の要素は通常、たとえば銅、亜鉛メッキ鋼、アルミニウムなどの金属から成る。
【０１８５】
本発明の他の実施形態によると、上述したようなＲＦＳＣが開示され、ＲＦＳＣは閉鎖アセンブリに取り付けられており、ＭＲＤに連結された少なくとも１つの第１の連結部材および閉鎖アセンブリに連結された少なくとも１つの第２の連結部材を有するヒンジをさらに備え、また、少なくとも１つの第１の連結部材は少なくとも１つの第２の連結部材に可動的に連結される。
【０１８６】
本発明の他の実施形態によると、上述したようなＲＦＳＣが開示され、ヒンジは、緊急解除機構をさらに備え、それによって少なくとも１つのヒンジ連結された部材の取外しが可能である。
【０１８７】
本発明の他の実施形態によると、上述したようなＲＦＳＣが開示され、ＭＲＤに連結されたヒンジ部材は、ＭＲＤ外壁の少なくとも一部、ＭＲＤボア内の少なくとも一部、ＭＲＤ開口部周縁部の少なくとも一部、およびそれらの任意の組み合わせから成るグループから選択される場所で連結される。
【０１８８】
本発明の他の実施形態によると、上述したようなＲＦＳＣが開示され、ＭＲＤに連結されたヒンジ部材は、ＭＲＤ開口部に対して、上側、下側、右側、左側、床に垂直、床に非垂直、およびそれらの任意の組み合わせから成るグループから選択される場所で連結される。
【０１８９】
本発明の他の実施形態によると、上述したようなＲＦＳＣが開示され、ヒンジ連結部材は、直接、間接的に、およびそれらの任意の組み合わせから成るグループから選択される方法で連結される。
【０１９０】
本発明の他の実施形態によると、上述したようなＲＦＳＣが開示され、少なくとも１つのヒンジ連結部材は、手動、自動、自己、遠隔制御、およびそれらの任意の組み合わせから成るグループから選択される手段によって可動性を有する。
【０１９１】
本発明の他の実施形態によると、（ａ）遠位端および近位端を有する長手方向主軸と、（ｂ）軸方向に伸長し、近位端に存在する開口部を終点とするオープンボアと、（ｃ）開口部に嵌合する形状の閉鎖アセンブリとを備える磁気共鳴撮像装置（ＭＲＤ）において、ＭＲＤまたはそのオープンボアに連結された少なくとも１つの第１の連結部材および閉鎖アセンブリに連結された少なくとも１つの第２の連結部材を備え、少なくとも１つの第１の連結部材が少なくとも１つの第２の連結部材に可動的に連結されるＲＦ遮蔽ヒンジ（ＲＦＳＨ）は、ＭＲＤの外部環境からボアの内部空間へ医療機器チュービングを通すことができる形状の開口部を有する導管を備え、長さ（ｌ）および幅（ｗ）を有する導管は、１つの第１の部材の少なくとも一部、１つの第２の部材の少なくとも一部、または両方の部材の少なくとも一部に設けられ、ｌ：ｗの比が既定値ｎを上回ることによってＲＦ遮蔽を提供する。
【０１９２】
本発明の他の実施形態によると、上述したようなＲＦＳＨが開示され、ＭＲＤに連結されたＲＦＳＨ部材は、ＭＲＤ外壁の少なくとも一部、ＭＲＤボア内の少なくとも一部、ＭＲＤ開口部周縁部の少なくとも一部、およびそれらの任意の組み合わせから成るグループから選択される場所で連結される。
【０１９３】
本発明の他の実施形態によると、上述したようなＲＦＳＨが開示され、ヒンジ連結された第１の連結部材は、ＭＲＤ開口部に対し、左側、右側、下側、上側、およびそれらの任意の組み合わせから成るグループから選択される場所で連結される。
【０１９４】
本発明の他の実施形態によると、上述したようなＲＦＳＨが開示され、ヒンジ連結された第１の連結部材は、直接、間接的に、およびそれらの任意の組み合わせから成るグループから選択される方法でＭＲＤに連結される。この実施形態において、ヒンジ連結部材は、連結を支持し、閉鎖アセンブリの重量負荷の分割に関与するための、たとえばバー、ロッド、シート、ワイヤなどの追加要素によってさらに支持され得る。
【０１９５】
本発明の他の実施形態によると、上述したようなＲＦＳＨが開示され、少なくとも１つのヒンジ連結部材は、手動、自動、自己、遠隔制御、およびそれらの任意の組み合わせから成るグループから選択される手段によって可動性を有する。
【０１９６】
本発明の他の実施形態によると、上述したようなＲＦＳＨが開示され、ＲＦＳＨの少なくとも一部は、反磁性材料、常磁性材料、強磁性材料、およびそれらの組み合わせから成るグループから選択される材料を備える。
【０１９７】
本発明の他の実施形態によると、上述したようなＲＦＳＨが開示され、ＲＦＳＨは、ＭＲＤボアの内部空間から外部環境に、およびその逆方向に医療機器チュービングを通すことができるサイズおよび形状によって適合される。
【０１９８】
本発明の他の実施形態によると、上述したようなＲＦＳＨが開示され、ＲＦＳＨは、複数の形状およびサイズを有する医療機器チュービングを通すことができる形状である。
【０１９９】
本発明の他の実施形態によると、上述したようなＲＦＳＨが開示され、ＲＦＳＨは、医療機器チュービングを通すための少なくとも１つの所定の置き場をさらに備える。
【０２００】
本発明の他の実施形態によると、上述したようなＲＦＳＨが開示され、ＲＦＳＨ開口部の少なくとも一部は、湾曲した端縁部輪郭を備える。
【０２０１】
本発明の他の実施形態によると、上述したようなＲＦＳＨが開示され、ＲＦＳＨの少なくとも一部は滑面仕上げである。
【０２０２】
本発明の他の実施形態によると、緊急解除機構を備える上述したようなＲＦＳＨが開示され、この機構は、少なくとも１つのヒンジ連結された部材の取外しを可能にする。
【０２０３】
本発明の他の実施形態によると、上述したようなＲＦＳＨが開示され、ＲＦＳＨの少なくとも一部は、磁気遮蔽、ＲＦ遮蔽、物理遮蔽、およびそれらの任意の組み合わせから成るグループから選択される遮蔽を備える。
【０２０４】
本発明の他の実施形態によると、上述したようなＲＦＳＨが開示され、ＲＦＳＨの少なくとも一部は、電磁導電材料を備える。
【０２０５】
本発明の他の実施形態によると、上述したようなＲＦＳＨが開示され、ＲＦＳＨの少なくとも一部は、透明材料を備える。
【０２０６】
本発明の他の実施形態によると、上述したようなＲＦＳＨが開示され、導管はＲＦ検出器システムをさらに備え、また、ＲＦ検出システムは、可聴、感知、視覚、およびそれらの任意の組み合わせから成るグループから選択されるインジケータを備える。
【０２０７】
本発明の他の実施形態によると、上述したようなＲＦＳＨが開示され、導管は、０〜約１０００ＭＨｚ、０〜約５００ＭＨｚ、０〜約２００ＭＨｚ、およびそれらの任意の組み合わせから成るグループから選択される周波数の通過を減衰させるように構成される。
【０２０８】
本発明の他の実施形態によると、上述したようなＲＦＳＨが開示され、導管は、導波管、ＲＦフィルタ、導波管フィルタ、減衰材料、およびそれらの任意の組み合わせのグループから選択される手段によって電磁干渉を減衰させるように構成される。
【０２０９】
本発明の他の実施形態によると、上述したようなＲＦＳＨが開示され、ＲＦＳＨの少なくとも一部は、閉鎖アセンブリとの電磁導電回路を閉じる。
【０２１０】
本発明の他の実施形態によると、ＭＲＤの外部環境で生じるＥＭＩからＭＲＤをＲＦ遮蔽し、かつＭＲＤで生じるＥＭＩから外部環境をＲＦ遮蔽するための方法は、（ａ）（ｉ）遠位端および近位端を有する長手方向主軸と、（ｉｉ）軸方向に伸長し、近位端に存在する開口部を終点とするオープンボアと、（ｉｉｉ）開口部に嵌合する形状の閉鎖アセンブリであって、閉鎖アセンブリに取り付けられ、ＭＲＤの外部環境からボアの内部空間へ医療機器チュービングを通すことができる形状の開口部を有する少なくとも１つの導管を備える閉鎖アセンブリと、を備えるＭＲＤを得ること、（ｂ）導管を備える閉鎖アセンブリを取り付けること、（ｃ）ＭＲＤボア内に患者を挿入すること、（ｄ）導管に医療機器チュービングを通すこと、（ｅ）ＭＲＤボアに閉鎖アセンブリで蓋をすること、および（ｆ）患者を撮像することのステップを備え、導管は、既定値ｎを上回るｌ：ｗの比を有する長さ（ｌ）および幅（ｗ）によってＲＦ遮蔽を提供することを特徴とする。
【０２１１】
本発明の他の実施形態によると、閉鎖アセンブリに突出しないように導管を連結するステップをさらに備え、それによってＭＲＤボアと外部環境との間に間接的アクセスが提供される、上述したような方法が開示される。
【０２１２】
本発明の他の実施形態によると、導管に医療機器チュービングを通すための少なくとも１つの所定の置き場を連結するステップをさらに備える、上述したような方法が開示される。
【０２１３】
本発明の他の実施形態によると、取外し可能モジュールとして構成されたＲＦＳＣを連結するステップをさらに備える、上述したような方法が開示される。
【０２１４】
本発明の他の実施形態によると、ＲＦ検出器システムを連結するステップをさらに備え、また、可聴、感知、視覚、およびそれらの任意の組み合わせから成るグループからＲＦ検出システムインジケータを選択する、上述したような方法が開示される。
【０２１５】
本発明の他の実施形態によると、少なくとも１つの伸縮壁を備える導管を得るステップをさらに備える、上述したような方法が開示される。
【０２１６】
本発明の他の実施形態によると、導管の幅と長さとの比が既定値ｎを上回る範囲で、壁の幅、長さ、または奥行きを変えるステップをさらに備える、上述したような方法が開示される。
【０２１７】
本発明の他の実施形態によると、長さ方向に沿った開口面を備えるＲＦＳＣを得るステップをさらに備える、上述したような方法が開示される。
【０２１８】
本発明の他の実施形態によると、医療機器チュービングを機器端部から一切取り外さずに出入りさせるステップをさらに備える、上述したような方法が開示される。
【０２１９】
本発明の他の実施形態によると、ＲＦＳＣが閉鎖アセンブリに取り付けられており、ＭＲＤに連結された少なくとも１つの第１の連結部材および閉鎖アセンブリに連結された少なくとも１つの第２の連結部材を有するヒンジをさらに備え、少なくとも１つの第１の連結部材は少なくとも１つの第２の連結部材に可動的に連結される、上述したような方法が開示される。
【０２２０】
本発明の他の実施形態によると、少なくとも１つのヒンジ連結された部材を取り外すことによって患者を緊急離脱させるステップをさらに備える、上述したような方法が開示される。
【０２２１】
本発明の他の実施形態によると、手動、自動、自己、遠隔制御、およびそれらの任意の組み合わせから成るグループから選択される手段によって少なくとも１つのヒンジ連結部材を動かすステップをさらに備える、上述したような方法が開示される。
【０２２２】
本発明の他の実施形態によると、ＭＲＤに連結された少なくとも１つの第１の連結部材および閉鎖アセンブリに連結された少なくとも１つの第２の連結部材を備え、少なくとも１つの第１の連結部材が少なくとも１つの第２の連結部材に可動的に連結され、ＭＲＤの外部環境からボアの内部空間へ医療機器チュービングを通すことができる形状の開口部を有する導管を備えるＲＦ遮蔽ヒンジ（ＲＦＳＨ）を得るステップをさらに備える、上述したような方法が開示される。
【０２２３】
本発明の他の目的は、手動、自動、自己、遠隔制御、およびそれらの任意の組み合わせから成るグループから選択される手段によって少なくとも１つのヒンジ連結部材を動かすステップをさらに備える、上述したような方法を開示することである。
【０２２４】
本発明の他の実施形態によると、医療機器チュービングをＲＦＳＨに通すための少なくとも１つの所定の置き場を連結するステップをさらに備える、上述したような方法が開示される。
【０２２５】
本発明の他の実施形態によると、少なくとも１つのヒンジ連結された部材を取り外すことによって患者を緊急離脱させるステップをさらに備える、上述したような方法が開示される。
【０２２６】
本発明の他の実施形態によると、ＲＦ検出器システムを連結するステップをさらに備え、また、可聴、感知、視覚、およびそれらの任意の組み合わせから成るグループからＲＦ検出システムインジケータを選択する、上述したような方法が開示される。
【０２２７】
本発明の他の実施形態によると、ＭＲＤ閉鎖アセンブリにおけるＲＦ遮蔽導管（ＲＦＳＣ）を製造するための方法は、（ａ）ＭＲＤボアの開口部に嵌合する形状の閉鎖アセンブリを得ること、（ｂ）ｌ：ｗの比が既定値ｎを上回るようにＲＦＳＣの長さ（ｌ）および幅（ｗ）の寸法を定めること、（ｃ）医療機器チュービングが中を通ることができるＲＦＳＣの寸法を定めること、（ｄ）取扱者にとってアクセスが可能であるように閉鎖アセンブリにおけるＲＦＳＣの場所を定めること、（ｅ）定められたＲＦＳＣを形成すること、および（ｆ）ＲＦＳＣを閉鎖アセンブリに連結することのステップを備え、閉鎖アセンブリは、ＭＲＤボアに面したカットアウトを有する近位端とＭＲＤの外部環境に面したカットアウトを有する遠位端とを備える長手方向軸を有する導管を備える。
【０２２８】
本発明の他の実施形態によると、ＭＲＤボアの内部空間から外部環境へ医療機器チュービングを通すことができるサイズおよび形状によってＲＦＳＣを適合させるステップをさらに備える、上述したような方法が開示される。
【０２２９】
本発明の他の実施形態によると、閉鎖アセンブリに突出しないようにＲＦＳＣを連結するステップをさらに備え、それによってＭＲＤボアと外部環境との間に間接的アクセスを提供する、上述したような方法が開示される。
【０２３０】
本発明の他の実施形態によると、複数の形状およびサイズを有する医療機器チュービングを通すことができるようにＲＦＳＣを形成するステップをさらに備える、上述したような方法が開示される。
【０２３１】
本発明の他の実施形態によると、ＲＦＳＣに医療機器チュービングを通すための少なくとも１つの所定の置き場を設計するステップをさらに備える、上述したような方法が開示される。
【０２３２】
本発明の他の実施形態によると、ＲＦＳＣの幅方向に沿った輪郭を、湾曲Ｕ字形、多角Ｕ字形、Ｃ字形、Ｖ字形、Ｗ字形、対称形、非対称形、円筒形、多角形、ストレートフェース形、湾曲形、閉じた形状、開いた形状、およびそれらの任意の組み合わせから成るグループから選択するステップをさらに備える、上述したような方法が開示される。
【０２３３】
本発明の他の実施形態によると、ＲＦＳＣの長手方向軸に沿った壁の形状を、直線形、湾曲形、多角形、対称形、非対称形、およびそれらの任意の組み合わせから成るグループから選択するステップをさらに備える、上述したような方法が開示される。
【０２３４】
本発明の他の実施形態によると、湾曲した端縁部輪郭を備えるＲＦＳＣ開口部の少なくとも一部を形成するステップをさらに備える、上述したような方法が開示される。
【０２３５】
本発明の他の実施形態によると、ＲＦＳＣの少なくとも一部を滑面仕上げで形成するステップをさらに備える、上述したような方法が開示される。
【０２３６】
本発明の他の実施形態によると、ＲＦＳＣに穿孔するステップをさらに備え、また、孔は、０〜約１０００ＭＨｚ、０〜約５００ＭＨｚ、０〜約２００ＭＨｚ、およびそれらの任意の組み合わせから成るグループから選択されるＲＦを減衰させるための導波管として構成される長さおよび径を有する、上述したような方法が開示される。
【０２３７】
本発明の他の実施形態によると、ＲＦＳＣを取外し可能モジュールとして構成するステップをさらに備える、上述したような方法が開示される。
【０２３８】
本発明の他の実施形態によると、電磁導電材料を備えるＲＦＳＣの少なくとも一部を形成するステップをさらに備える、上述したような方法が開示される。
【０２３９】
本発明の他の実施形態によると、透明材料を備えるＲＦＳＣの少なくとも一部を形成するステップをさらに備える、上述したような方法が開示される。
【０２４０】
本発明の他の実施形態によると、長手方向軸壁と、長手方向軸壁に垂直な少なくとも２つの壁とを備えるＲＦＳＣを形成するステップをさらに備え、また、壁の少なくとも一方は、定位置に固定された長手方向壁に可動的に連結される、上述したような方法が開示される。
【０２４１】
本発明の他の実施形態によると、ＲＦ検出器システムを連結するステップをさらに備え、また、可聴、感知、視覚、およびそれらの任意の組み合わせから成るグループからＲＦ検出システムインジケータを選択する、上述したような方法が開示される。
【０２４２】
本発明の他の実施形態によると、導管の幅と長さとの比が既定値ｎを上回る範囲で、幅、長さ、または奥行きを変えることができる少なくとも１つの導管伸縮壁を形成するステップをさらに備える、上述したような方法が開示される。
【０２４３】
本発明の他の実施形態によると、閉鎖アセンブリとＭＲＤとの間で周縁部の少なくとも一部の場所でＲＦＳＣを閉鎖アセンブリに取り付けるステップをさらに備える、上述したような方法が開示される。
【０２４４】
本発明の他の実施形態によると、長さ方向に沿った開口部をさらに備えるＲＦＳＣを形成するステップをさらに備え、それによって医療機器チュービングを機器端部から一切取り外さずに取り出すことを可能にする、上述したような方法が開示される。
【０２４５】
本発明の他の実施形態によると、０〜約１０００ＭＨｚ、０〜約５００ＭＨｚ、０〜約２００ＭＨｚ、およびそれらの任意の組み合わせから成るグループから選択される周波数の通過を減衰させるように導管を構成するステップをさらに備える、上述したような方法が開示される。
【０２４６】
本発明の他の実施形態によると、導波管、ＲＦフィルタ、導波管フィルタ、減衰材料、およびそれらの任意の組み合わせのグループから選択される手段によって電磁干渉を減衰させるように導管を構成するステップをさらに備える、上述したような方法が開示される。
【０２４７】
本発明の他の実施形態によると、磁気遮蔽、ＲＦ遮蔽、物理遮蔽、およびそれらの任意の組み合わせから成るグループから選択される遮蔽を備えるようにＲＦＳＣの少なくとも一部を形成するステップをさらに備える、上述したような方法が開示される。
【０２４８】
本発明の他の実施形態によると、ＲＦＳＣの少なくとも一部を、閉鎖アセンブリとの導電回路を閉じる形状に形成するステップをさらに備える、上述したような方法が開示される。
【０２４９】
本発明の他の実施形態によると、ＭＲＤに連結された少なくとも１つの第１の連結部材および閉鎖アセンブリに連結された少なくとも１つの第２の連結部材を有し、また少なくとも１つの第１の連結部材が少なくとも１つの第２の連結部材に可動的に連結されるヒンジをさらに備える閉鎖アセンブリにＲＦＳＣを取り付けるステップをさらに備える、上述したような方法が開示される。
【０２５０】
本発明の他の実施形態によると、ヒンジに緊急解除機構を組み込むステップをさらに備え、それによって少なくとも１つのヒンジ連結された部材の取外しを可能にする、上述したような方法が開示される。
【０２５１】
本発明の他の実施形態によると、ヒンジ部材とＭＲＤとを連結する場所を、ＭＲＤ外壁の少なくとも一部、ＭＲＤボア内の少なくとも一部、ＭＲＤ開口部周縁部の少なくとも一部、およびそれらの任意の組み合わせから成るグループから選択するステップをさらに備える、上述したような方法が開示される。
【０２５２】
本発明の他の実施形態によると、ヒンジ部材とＭＲＤとを連結する場所を、ＭＲＤ開口部に対して、上側、下側、右側、左側、床に垂直、床に非垂直、およびそれらの任意の組み合わせから成るグループから選択するステップをさらに備える、上述したような方法が開示される。
【０２５３】
本発明の他の実施形態によると、直接、間接的に、およびそれらの任意の組み合わせから成るグループから選択する方法でヒンジ連結部材を連結するステップをさらに備える、上述したような方法が開示される。
【０２５４】
本発明の他の実施形態によると、手動、自動、自己、遠隔制御、およびそれらの任意の組み合わせから成るグループから、少なくとも１つのヒンジ連結部材を動かす手段を選択するステップをさらに備える、上述したような方法が開示される。
【０２５５】
本発明の他の実施形態によると、ＭＲＤに連結された少なくとも１つの第１の連結部材および閉鎖アセンブリに連結された少なくとも１つの第２の連結部材を有し、少なくとも１つの第１の連結部材が少なくとも１つの第２の連結部材に可動的に連結されるＲＦ遮蔽ヒンジ（ＲＦＳＨ）の少なくとも一部に導管を形成するステップをさらに備える、上述したような方法が開示される。
【０２５６】
本発明の他の実施形態によると、ＭＲＤ外壁の少なくとも一部、ＭＲＤボア内の少なくとも一部、ＭＲＤ開口部周縁部の少なくとも一部、およびそれらの任意の組み合わせから成るグループから選択される場所でＲＦＳＨ部材をＭＲＤに連結するステップをさらに備える、上述したような方法が開示される。
【０２５７】
本発明の他の実施形態によると、ＭＲＤ開口部に対して、左側、右側、下側、上側、およびそれらの任意の組み合わせから成るグループから選択される場所で、ヒンジ連結された第１の連結部材をＭＲＤに連結するステップをさらに備える、上述したような方法が開示される。
【０２５８】
本発明の他の実施形態によると、直接、間接的に、およびそれらの任意の組み合わせから成るグループから選択される方法でヒンジ連結された第１の連結部材をＭＲＤに連結するステップをさらに備える、上述したような方法が開示される。
【０２５９】
本発明の他の実施形態によると、手動、自動、自己、遠隔制御、およびそれらの任意の組み合わせから成るグループから、少なくとも１つのヒンジ連結部材を動かす手段を選択するステップをさらに備える、上述したような方法が開示される。
【０２６０】
本発明の他の実施形態によると、反磁性材料、常磁性材料、強磁性材料、およびそれらの任意の組み合わせから成るグループから選択される材料を備えるＲＦＳＨの少なくとも一部を形成するステップをさらに備える、上述したような方法が開示される。
【０２６１】
本発明の他の実施形態によると、ＭＲＤボアの内部空間から外部環境へ医療機器チュービングを通すことができるサイズおよび形状によってＲＦＳＨを適合させるステップをさらに備える、上述したような方法が開示される。
【０２６２】
本発明の他の実施形態によると、複数の形状およびサイズを有する医療機器チュービングを通すことができるようにＲＦＳＨを形成するステップをさらに備える、上述したような方法が開示される。
【０２６３】
本発明の他の実施形態によると、導管に医療機器チュービングを通すための少なくとも１つの所定の置き場を設計するステップをさらに備える、上述したような方法が開示される。
【０２６４】
本発明の他の実施形態によると、湾曲した端縁部輪郭を備えるＲＦＳＨ開口部の少なくとも一部を形成するステップをさらに備える、上述したような方法が開示される。
【０２６５】
本発明の他の実施形態によると、ＲＦＳＨの少なくとも一部を滑面仕上げで形成するステップをさらに備える、上述したような方法が開示される。
【０２６６】
本発明の他の実施形態によると、緊急解除機構を組み込むステップをさらに備え、この機構は、少なくとも１つのヒンジ連結された部材の取外しを可能にする、上述したような方法が開示される。
【０２６７】
本発明の他の実施形態によると、磁気遮蔽、ＲＦ遮蔽、物理遮蔽、およびそれらの任意の組み合わせから成るグループから、ＲＦＳＨの少なくとも一部の遮蔽を選択するステップをさらに備える、上述したような方法が開示される。
【０２６８】
本発明の他の実施形態によると、電磁導電材料を備えるＲＦＳＨの少なくとも一部を形成するステップをさらに備える、上述したような方法が開示される。
【０２６９】
本発明の他の実施形態によると、透明材料を備えるＲＦＳＣの少なくとも一部を形成するステップをさらに備える、上述したような方法が開示される。
【０２７０】
本発明の他の実施形態によると、ＲＦ検出器システムを連結するステップをさらに備え、また、可聴、感知、視覚、およびそれらの任意の組み合わせから成るグループから選択されるＲＦ検出システムインジケータを選択する、上述したような方法が開示される。
【０２７１】
本発明の他の実施形態によると、０〜約１０００ＭＨｚ、０〜約５００ＭＨｚ、０〜約２００ＭＨｚ、およびそれらの任意の組み合わせから成るグループから選択される周波数の通過を減衰させるようにＲＦＳＨを構成するステップをさらに備える、上述したような方法が開示される。
【０２７２】
本発明の他の実施形態によると、導波管、ＲＦフィルタ、導波管フィルタ、減衰材料、およびそれらの任意の組み合わせのグループから選択される手段によって電磁干渉を減衰させるように構成するステップをさらに備える、上述したような方法が開示される。
【０２７３】
本発明の他の実施形態によると、ＲＦＳＣの少なくとも一部を、閉鎖アセンブリとの電磁導電回路を閉じる形状に形成するステップをさらに備える、上述したような方法が開示される。
【０２７４】
本発明の他の実施形態によると、医療機器に繋がれＭＲＤボア内に載置される患者を、ＭＲＤ内にＲＦを漏洩させずに磁気共鳴撮像するためのケアプロトコルの規格が開示され、これは、（ａ）遠位端および近位端を有する長手方向主軸と、（ｂ）軸方向に伸長し、近位端に存在する開口部を終点とするオープンボアと、（ｃ）開口部に嵌合する形状の閉鎖アセンブリとを備える磁気共鳴撮像装置（ＭＲＤ）に、閉鎖アセンブリに取り付けられ、ＭＲＤの外部環境からボアの内部空間への医療機器チュービングを通すことができる形状の開口部を有するＲＦ遮蔽導管（ＲＦＳＣ）を設けることを特徴とし、導管は、既定値ｎを上回るｌ：ｗの比を有する長さ（ｌ）および幅（ｗ）によってＲＦ遮蔽を提供することを特徴とし、ここにおいて、（ａ）ＲＦＳＣを用いる場合、ＭＲＤ関連の患者の健康問題の平均数は、患者のＭＲＩ関連の健康問題の平均数と比べてｎ分の１であり、ｎは１．０５以上であること、（ｂ）ＲＦＳＣを用いる場合、製造者、取扱者、使用者、操作者、医療関係者、医療施設、医療施設管理、またはそれらの任意の組み合わせから成るグループから選択されるものの保険請求の平均数は、患者のＭＲＩ関連保険請求と比べてｍ分の１であり、ｍは１．０５以上であること、（ｃ）ＲＦＳＣを用いる場合、ＥＭＩに起因するＭＲＩの反復の平均回数は、ＭＲＩの反復の平均回数と比べてｐ分の１であり、ｐは１．０５以上であること、（ｄ）ＲＦＳＣを用いる場合、ＥＭＩがもたらすアーティファクトに起因するＭＲＩの誤解釈の平均回数は、ＭＲＩの反復の平均回数と比べてｏ分の１であり、ｏは１．０５以上であること、（ｅ）ＲＦＳＣを用いる場合、ＭＲＩ中に医療機器を取り外される患者の平均数は、ＭＲＩ中に医療機器を取り外される患者の平均数と比べてｚ分の１であり、ｚは１．０５以上であること、および（ｆ）医療機器に干渉するＥＭＩに起因する患者の健康問題の平均数は、ＲＦＳＣアセンブリを用いる場合と比べてｕ倍であり、ｕは１．０５以上であることの少なくとも１つが真である。
【０２７５】
ここで、縮尺を考慮せずに本発明の実施形態を図示する図１Ａを参照する。閉じた形状で示されるＭＲＤボア（１０１）の入口を閉鎖するための長方形実施形態における閉鎖アセンブリ（２００）に連結されたＭＲＤ（８００）が示される。閉鎖アセンブリはさらに、医療機器チュービングを通すことができる形状のカットアウト（６０、５０）を有するＲＦ遮蔽導管を包含する。また、導管は、様々なサイズおよび形状のたとえば生命維持チュービングおよびモニタのセンサを、ＭＲＤの外側からＭＲＤの内側へ、またその逆方向へ通すことができる形状である。本発明のいくつかの実施形態において、閉鎖アセンブリは、たとえばパネル、蓋、シャッタ、ドア、リーフ、半透明ウェブ、バーなど（２００）の部品を備える。
【０２７６】
次に、縮尺を考慮せずに本発明の実施形態を図示する図１Ｂを参照する。閉鎖アセンブリ（２００）の長方形実施形態が、ＲＦ遮蔽導管（１０４）の多面形状実施形態内に挿入される。この実施形態において、導管は、ＭＲＤの外部環境における様々な方向へ医療機器チュービングを通すことができる２つの出口（６５、６６）を有する。
【０２７７】
次に、縮尺を考慮せずに本発明の実施形態を図示する図１Ｃを参照する。多面形状の導管（１０４）を含む閉鎖アセンブリ（２００）の長方形実施形態を示す内面図である。
【０２７８】
次に、閉鎖アセンブリにおけるＲＦ遮蔽導管の様々な実施形態を、縮尺を考慮せずに図示する図１Ｄ〜図１Ｇを参照する。閉鎖アセンブリは、開口部に蓋をするようにＭＲＤボアの近位開口部に設置され、導管は、医療機器および健康状態監視および維持に伴われるチュービング、ケーブル、装置、センサなどのための、ＭＲＤボア内から外部環境への通路を維持する。図１Ｄにおいて、閉鎖アセンブリは、円筒形の導管（１０６）を備える円形実施形態（２１０）として示される。図１Ｅにおいて、閉鎖アセンブリは、閉鎖アセンブリの真ん中あたりから突出する円筒形の導管（１１２）を備える長方形実施形態（２００）として示され、導管は、閉鎖アセンブリの左側、右側、内側、上側、下側、およびそれらの任意の組み合わせに設置される。図１Ｆにおいて、閉鎖アセンブリは、閉鎖アセンブリの上部輪郭に連結する導管を備える長方形実施形態（２００）として示され、導管は、可撓性、伸縮性、または剛性のチューブ（１１３）である。図１Ｇにおいて、閉鎖アセンブリは、複数の円筒形の導管（１１１）を備える長方形実施形態（２２０）として示される。
【０２７９】
次に、一方にカットアウト面を有する多面取り中空Ｕ字形フレームから成る導管（１００）を示す本発明の実施形態を、縮尺を考慮せずに図示する図２Ａを参照する。またこの実施形態において、導管は、ＭＲＤボアに面する長方形開口部（５０）およびＭＲＤボアの外側に面する別の円形開口部（６０）を含む。これらのカットアウトは、たとえば長方形、円形、楕円形、対称形、非対称形などの形状である。典型的なチューブ（１５０）は、カットアウトを介して導管に通される。導管は、各チューブを置くための所定の置き場を有し、これらの置き場は、特定のチューブ（不図示）の場所を示すのに役立つようにラベル付けされる。いくつかの実施形態において、チューブが設置され、たとえばケーブルアンカやストリップ（不図示）などの手段によって位置を固定される。いくつかの実施形態において、チューブは、所定の置き場ラベルや固定を伴わず設置される（図２Ａ）。いくつかの実施形態において、チューブは、所定のカットアウトを伴わない導管の下側開口部を直接通る。また、導管の全体長さ（７０）は、長さ（ｌ）と幅（ｗ）との比が既定値ｎを上回る範囲で変えられる。
【０２８０】
次に、縮尺を考慮せずに本発明の実施形態を図示する図２Ｂを参照する。閉鎖アセンブリ（２００）の構成が外観図として示され、図内で導管（１００）は閉鎖アセンブリの長方形実施形態の側面輪郭に沿って連結され、ＭＲＤに取り付けられる第２の部品（４００）に連結された反対側の側面にヒンジ式構造（３００）が存在する。ＭＲＤに取り付けられる部品は、たとえばスクリュー、ボルト、スパイク、ピン、スライドバー、ステープル、釘、接着剤、ベルト、ハーネスなどの手段によって連結される。このヒンジは、ＭＲＤ壁、ＭＲＤボア内、閉鎖アセンブリの一部、およびそれらの任意の組み合わせから成るグループから選択される場所に直接または間接的に連結される。さらに、導管（１００）は、閉鎖アセンブリ（２００）の側面輪郭に連結される。この実施形態において、導管は、閉鎖アセンブリとＭＲＤボアとの境界部分に沿う場所に設置される。この実施形態は、医療機器のチューブおよびワイヤが閉鎖アセンブリの側面に沿って通ることを可能にするので、患者が出入りする際にチュービングをどちらの端部でも取り外す必要がない。この実施形態はさらに、患者から医療用維持および監視装置を取り外すことによって生じる患者へのストレスを最小限にするとともに、必要に応じて患者の迅速な移動を可能にする。
【０２８１】
次に、典型的なチューブ（１５０）が入るための所定のカットアウト（５０）を有し、下側開口部（６０）からチューブを出す、Ｕ字形の輪郭を有するアーチ状導管（１００）を示す本発明の実施形態を、縮尺を考慮せずに図示する図２Ｃを参照する。この導管は、閉鎖アセンブリとＭＲＤボアとの境界部分に沿って、閉鎖アセンブリの円形実施形態に取り付けるのに適している。この実施形態は、医療機器チュービングを中に通すのではなく、いずれの側でもチューブを取り外さなくてよいようにチュービングを導管に沿って設置するだけで患者を出入りさせることを可能にする。
【０２８２】
次に、導管（１００）の実施形態の側面図を示す本発明の実施形態を、縮尺を考慮せずに図示する図２Ｄを参照する。この実施形態において、導管の長手方向軸に沿った壁は、正弦波形（１２０）である。この実施形態において、チュービング（１５０）は、外側で測定される距離ｌ１よりも長いｌ２の距離を通る。この実施形態は、長さ（ｌ）と幅（ｗ）との比を既定値ｎよりも大きく保つために全体がより短い導管を可能にする。
【０２８３】
次に、導管（１０７）を有するＲＦ遮蔽ヒンジの実施形態の外観図を示す本発明の実施形態を、縮尺を考慮せずに図示する図３Ａを参照する。ヒンジ式構造は、追従する導管（１０７）を備える。導管は、ＥＭＩを減衰させ、医療機器を通すことができる形状、サイズ、および材料によって構成される導波管である。ヒンジ式構造は、円筒形（１０７）または多面形状のいずれかである。ヒンジはさらに、閉鎖アセンブリ（２００）に連結される。
【０２８４】
次に、ヒンジ部分に沿った導管（１０８）を有するＲＦ遮蔽ヒンジの実施形態の外観図を示す本発明の実施形態を、縮尺を考慮せずに図示する図３Ｂを参照する。ヒンジ式構造は、ヒンジ式構造の一部のみに追従する導管（１０８）を備える。
【０２８５】
次に、縮尺を考慮せずに本発明の実施形態を図示する図３Ｃを参照する。この実施形態において、ＲＦ遮蔽ヒンジ（１０７）に連結された閉鎖アセンブリ（２００）によって蓋をされた、オープンボアを有するＭＲＤ（８００）の構成が示され、ＲＦ遮蔽ヒンジ（１０７）の一部において、外部環境から患者が載置されているＭＲＤボア（２０２）の内部空間へ医療機器チュービング（１５０）が通される。
【０２８６】
次に、医療機器の典型的なチューブ（１５０）が通るのに適した導管を備えるＲＦ遮蔽ヒンジ（１００）の斜視図を示す本発明の実施形態を、縮尺を考慮せずに図示する図４Ａを参照する。この実施形態において、ヒンジは、閉鎖アセンブリに連結された第１の連結部材（２００）およびＭＲＤに連結された第２の部材（４００）を有する。ヒンジは、ＭＲＤに対して閉鎖アセンブリを動かすことを可能にする。チューブは、ヒンジの片側の開口部（６０）からヒンジ内の中空部分に通され、適したカットアウト開口部（５０）に抜け出る。いくつかの実施形態において、チューブの入口点および出口点としてヒンジの両側に開口部が存在する。また、それらは複数の形状およびサイズであってよい。医療機器チュービングが通される導管は、ｌ：ｗの比が既定値ｎを上回る長さ（ｌ）および幅（ｗ）によってＲＦ遮蔽を提供することを特徴とする。
【０２８７】
次に、一方の部材が閉鎖アセンブリ（２００）に連結され、他方の部材がＭＲＤに連結されるＲＦ遮蔽ヒンジ（１００）の実施形態を示す本発明の実施形態を、縮尺を考慮せずに図示する図４Ｂを参照する。医療機器チュービング（１５０）はＲＦ遮蔽ヒンジの一部を通る。この実施形態における閉鎖アセンブリは取っ手（１５）を含む。
【０２８８】
次に、ＭＲＤの外部環境で生じるＥＭＩからＭＲＤをＲＦ遮蔽し、かつＭＲＤで生じるＥＭＩから外部環境をＲＦ遮蔽する方法を説明するフローチャート図（５００）を示す図５を参照する。第１のステップ（５０１）は、オープンボアと、オープンボア開口部に蓋をするのに適した閉鎖アセンブリとを有するＭＲＤを得ることである。閉鎖アセンブリは、ｌ：ｗの比が既定値ｎを上回る長さ（ｌ）および幅（ｗ）によってＲＦ遮蔽を提供することを特徴とする導管を含むものである。このＲＦ遮蔽導管は、医療機器チュービングを中に通すのに適したカットアウトを備える。またこの導管は、様々なサイズおよび形状の医療機器チュービングを、外部環境からＭＲＤボア内へ、またその逆方向へ導入し、通すことができる形状である。次のステップ（５０２）は、導管を有する閉鎖アセンブリをＭＲＤに取り付けることである。次に、ＭＲＤボアが開いている場合（５０３）、ＭＲＤボア内に患者を挿入する（５０５）。閉じている場合は、まず閉鎖アセンブリを開く（５０４）。患者が医療機器に繋がれている場合（５０６）、次のステップは、ＭＲＤボア内の患者からＲＦ遮蔽導管を介して外部環境へ医療機器を通すこと（５０７）である。次に、患者が医療機器チュービングに繋がれたままの状態で、ＭＲＤボアに閉鎖アセンブリで蓋をする（５０８）。最後のステップは、患者を撮像すること（５０９）である。
【０２８９】
次に、ＲＦ遮蔽ヒンジを用いて、ＭＲＤの外部環境で生じるＥＭＩからＭＲＤをＲＦ遮蔽し、かつＭＲＤで生じるＥＭＩから外部環境をＲＦ遮蔽する方法を説明するフローチャート図（６００）を示す図６を参照する。第１のステップ（６０１）は、オープンボアと、少なくとも１つの第１の連結部材および少なくとも１つの第２の連結部材を備えるＲＦ遮蔽ヒンジ（ＲＦＳＨ）と、オープンボア開口部に蓋をするように設計された閉鎖アセンブリとを備えるＭＲＤを得ることである。少なくとも１つの第１の連結部材は、少なくとも１つの第２の連結部材に可動的に連結される。また、ＲＦＳＨは、ＭＲＤの外部環境からボアの内部空間への医療機器チュービングを通すことができる形状の開口部を有する導管を備え、長さ（ｌ）および幅（ｗ）を有する導管は、１つの第１の部材の少なくとも一部、１つの第２の部材の少なくとも一部、または両方の部材の少なくとも一部に設けられ、ｌ：ｗの比が既定値ｎを上回ることによってＲＦ遮蔽をもたらす。またこの導管は、様々なサイズおよび形状の医療機器チュービングを外部環境からＭＲＤボア内へ、またその逆方向へ導入し、通すことができる形状である。次のステップ（６０２）は、閉鎖アセンブリをＲＦＳＨの第１の連結部材に取り付け、ＲＦＳＨの第２の連結部材をＭＲＤに取り付けることである。次に、ＭＲＤボアが開いている場合（６０３）、患者をＭＲＤボア内に挿入する（６０５）。閉じている場合は、まず、ＲＦＳＨに連結された閉鎖アセンブリ部分を動かすことによって閉鎖アセンブリを開く（６０４）。患者が医療機器に繋がれている場合（６０６）、次のステップは、ＭＲＤボア内の患者からＲＦ遮蔽導管を介して外部環境へ医療機器を通すこと（６０７）である。次に、患者が医療機器チュービングに繋がれたままの状態で、ＭＲＤボアに閉鎖アセンブリで蓋をする（６０８）。最後のステップは、患者を撮像すること（６０９）である。
【図１Ａ】
0006562925.tif 000002
【図１Ｂ】
0006562925.tif 000003
【図１Ｃ】
0006562925.tif 000004
【図１Ｄ】
0006562925.tif 000005
【図１Ｅ】
0006562925.tif 000006
【図１Ｆ】
0006562925.tif 000007
【図１Ｇ】
0006562925.tif 000008
【図２Ａ】
0006562925.tif 000009
【図２Ｂ】
0006562925.tif 000010
【図２Ｃ】
0006562925.tif 000011
【図２Ｄ】
0006562925.tif 000012
【図３Ａ】
0006562925.tif 000013
【図３Ｂ】
0006562925.tif 000014
【図３Ｃ】
0006562925.tif 000015
【図４Ａ】
0006562925.tif 000016
【図４Ｂ】
0006562925.tif 000017
【図５】
0006562925.tif 000018
【図６】
0006562925.tif 000019